(57)【特許請求の範囲】
【請求項１】
無線通信のための装置であって、
直交周波数分割多重化にしたがってデータを符号化して、符号化されたビットを取得するように構成された１または複数のエンコーダと、
前記符号化されたビットを、複数の空間ストリームに関連付けられた複数のビットのパーティションに分割するように構成された第１の回路と、
前記複数のビットのパーティションのおのおのを、２つまたは４つの４０ＭＨｚセグメントにセグメント化するように構成された第２の回路と、
前記セグメント化された符号化されたビットに関連付けられた信号サンプルを、予め定義された係数でダウン・クロックするように構成された第３の回路と、
テレビジョン（ＴＶ）ホワイト・スペースを用いるために構成された通信規格にしたがう複数の波形を用いて、前記ダウン・クロックされた信号サンプルを送信するように構成された送信機と、を備える装置。
【請求項２】
前記複数の波形は、８０２．１１ａｃベースの波形を備え、
前記セグメントのおのおのは、前記複数の波形の４０ＭＨｚ  ８０２．１１ａｃ波形で伝送され、
前記データは、４０ＭＨｚセグメントのおのおのにおいて、１２８のうち１０８のサブ・キャリアにポピュレートされる、請求項１に記載の装置。
【請求項３】
前記複数の空間ストリームのうちの空間ストリームに属するビットのパーティションを、２つまたは４つのセグメントにセグメント化するように構成された第２の回路が、前記空間ストリームのビットのおのおのを、ラウンド・ロビン方式で、前記セグメントのおのおのに割り当てるように構成された第４の回路を備える、請求項１に記載の装置。
【請求項４】
前記ビットのパーティションをセグメント化するように構成された第２の回路は、パーティションのうちの第１のサイズのビットの各シーケンスを、そのパーティションにおけるすべてのビットが割り当てられるまで、または、割り当てられていない余剰ビットの数が、前記第１のサイズ未満になるまで、ラウンド・ロビン方式で、セグメントのおのおのに割り当てるように構成された第４の回路を備え、
前記第４の回路はさらに、前記割り当てられていない余剰ビットの数がゼロではない場合、前記割り当てられていない余剰ビットの第２のサイズのビットの各シーケンスを、パーティションにおけるすべてのビットが割り当てられるまで、ラウンド・ロビン方式で、セグメントのおのおのに割り当てるように構成される、請求項１に記載の装置。
【請求項５】
前記第１のサイズは、４０ＭＨｚのセグメントの数、エンコーダの数、前記複数の空間ストリームのうちの空間ストリーム毎のサブ・キャリア毎のビットの数のうちの少なくとも１つに基づき、
前記第２のサイズは、前記空間ストリーム毎のサブ・キャリア毎のビットの数に基づき、
前記第２のサイズは、前記第１のサイズよりも小さい、請求項４に記載の装置。
【請求項６】
前記２つまたは４つのセグメントのうちのセグメントのビットを、複数の波形のうちの４０ＭＨｚ  ８０２．１１ａｃ波形の１０８のサブ・キャリアにインタリーブするように構成されたインタリーバをさらに備え、
前記インタリーバは、４０ＭＨｚ  ８０２．１１ａｃインタリーバを備え、
前記１または複数のエンコーダは、１または複数のバイナリ畳み込み符号（ＢＣＣ）エンコーダを備える、請求項１に記載の装置。
【請求項７】
４つの個別の処理チェーンをさらに備え、
これら処理チェーンのおのおのは、４０ＭＨｚセグメントのうちの１つに割り当てられ、
これら処理チェーンのおのおのは、４０ＭＨｚ  ８０２．１１ａｃ送信に関連付けられた送信チェーンと同一である、請求項１に記載の装置。
【請求項８】
前記送信機はさらに、前記ダウン・クロックされた信号サンプルを、２つの個別の５ＭＨｚキャリアで、または、係数が８である場合、４つの個別の５ＭＨｚキャリアで、または、係数が４０／６である場合、２つまたは４つの個別の６ＭＨｚキャリアで、または、係数が４０／７である場合、２つまたは４つの個別の７ＭＨｚキャリアで、または、係数が５である場合、２つまたは４つの個別の８ＭＨｚキャリアで送信するように構成された、請求項１に記載の装置。
【請求項９】
前記ダウン・クロックされた信号サンプルを送信する際に使用される１または複数のインタ・フレーム・タイミング・パラメータを選択するように構成された第５の回路、をさらに備える請求項１に記載の装置。
【請求項１０】
前記１または複数のインタ・フレーム・タイミング・パラメータは、３２マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３７マイクロ秒に等しいＳｌｏｔ−Ｔｉｍｅ、３７マイクロ秒に等しいＳＩＦＳ時間、または１１１マイクロ秒に等しいＤＩＦＳ時間のうちの少なくとも１つを備え、
前記ダウン・クロックされた信号サンプルは、５ＭＨｚキャリアで送信される、請求項９に記載の装置。
【請求項１１】
前記１または複数のインタ・フレーム・タイミング・パラメータは、２７マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３２マイクロ秒に等しいＳｌｏｔ−Ｔｉｍｅ、３２マイクロ秒に等しいＳＩＦＳ時間、または９６マイクロ秒に等しいＤＩＦＳ時間のうちの少なくとも１つを備え、
前記ダウン・クロックされた信号サンプルは、６ＭＨｚキャリアで送信される、請求項９に記載の装置。
【請求項１２】
前記１または複数のインタ・フレーム・タイミング・パラメータは、２３マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２８マイクロ秒に等しいＳｌｏｔ−Ｔｉｍｅ、２８マイクロ秒に等しいＳＩＦＳ時間、または８４マイクロ秒に等しいＤＩＦＳ時間のうちの少なくとも１つを備え、
前記ダウン・クロックされた信号サンプルは、７ＭＨｚキャリアで送信される、請求項９に記載の装置。
【請求項１３】
前記１または複数のインタ・フレーム・タイミング・パラメータは、２０マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２５マイクロ秒に等しいＳｌｏｔ−Ｔｉｍｅ、２５マイクロ秒に等しいＳＩＦＳ時間、または７５マイクロ秒に等しいＤＩＦＳ時間のうちの少なくとも１つを備え、
前記ダウン・クロックされた信号サンプルは、８ＭＨｚキャリアで送信される、請求項９に記載の装置。
【請求項１４】
前記送信のプリアンブルの超高スループット信号フィールド・タイプＡ（ＶＨＴ−ＳＩＧＡフィールド）の１または複数のビットを用いることによって、２つまたは４つの４０ＭＨｚセグメントによる送信を示すように構成された第４の回路、をさらに備える請求項１に記載の装置。
【請求項１５】
無線通信のための方法であって、
符号化されたビットを取得するために直交周波数分割多重化にしたがってデータを符号化することと、
前記符号化されたビットを、複数の空間ストリームに関連付けられた複数のビットのパーティションに分割することと、
前記複数のビットのパーティションのおのおのを、２つまたは４つの４０ＭＨｚセグメントにセグメント化することと、
前記セグメント化された符号化されたビットに関連付けられた信号サンプルを、予め定義された係数でダウン・クロックすることと、
テレビジョン（ＴＶ）ホワイト・スペースを用いるために構成された通信規格にしたがう複数の波形を用いて、前記ダウン・クロックされた信号サンプルを送信することと、を備える方法。
【請求項１６】
前記複数の波形は、８０２．１１ａｃベースの波形を備え、
前記セグメントのおのおのは、前記複数の波形の４０ＭＨｚ  ８０２．１１ａｃ波形で伝送され、
前記データは、４０ＭＨｚセグメントのおのおのにおいて、１２８のうち１０８のサブ・キャリアにポピュレートされる、請求項１５に記載の方法。
【請求項１７】
前記空間ストリームのビットのおのおのを、ラウンド・ロビン方式で、前記セグメントのおのおのに割り当てること、をさらに備える請求項１５に記載の方法。
【請求項１８】
パーティションのうちの第１のサイズのビットの各シーケンスを、そのパーティションにおけるすべてのビットが割り当てられるまで、または、割り当てられていない余剰ビットの数が、前記第１のサイズ未満になるまで、ラウンド・ロビン方式で、セグメントのおのおのに割り当てることと、
前記割り当てられていない余剰ビットの数がゼロではない場合、前記割り当てられていない余剰ビットの第２のサイズのビットの各シーケンスを、パーティションにおけるすべてのビットが割り当てられるまで、ラウンド・ロビン方式で、セグメントのおのおのに割り当てることと、をさらに備える請求項１５に記載の方法。
【請求項１９】
前記第１のサイズは、前記４０ＭＨｚセグメントの数、データを符号化するエンコーダの数、または前記複数の空間ストリームのうちの空間ストリーム毎のサブ・キャリア毎のビットの数のうちの少なくとも１つに基づき、
前記第２のサイズは、空間ストリーム毎のサブ・キャリア毎のビットの数に基づき、
前記第２のサイズは、前記第１のサイズよりも小さい、請求項１８に記載の方法。
【請求項２０】
前記２つまたは４つのセグメントのうちのセグメントのビットを、複数の波形のうちの４０ＭＨｚ  ８０２．１１ａｃ波形の１０８のサブ・キャリアにインタリーブすることをさらに備え、
前記符号化は、バイナリ畳み込み符号（ＢＣＣ）ベースの符号化を備える、請求項１５に記載の方法。
【請求項２１】
４つの個別の処理チェーンを用いてデータを処理することをさらに備え、
これら処理チェーンのおのおのは、４０ＭＨｚセグメントのうちの１つに割り当てられ、
これら処理チェーンのおのおのは、４０ＭＨｚ  ８０２．１１ａｃ送信に関連付けられた送信チェーンと同一である、請求項１５に記載の方法。
【請求項２２】
前記ダウン・クロックされた信号サンプルを、２つの個別の５ＭＨｚキャリアで、または、係数が８である場合、４つの個別の５ＭＨｚキャリアで、または、係数が４０／６である場合、２つまたは４つの個別の６ＭＨｚキャリアで、または、係数が４０／７である場合、２つまたは４つの個別の７ＭＨｚキャリアで、または、係数が５である場合、２つまたは４つの個別の８ＭＨｚキャリアで送信すること、をさらに備える請求項１５に記載の方法。
【請求項２３】
前記ダウン・クロックされた信号サンプルを送信する際に使用される１または複数のインタ・フレーム・タイミング・パラメータを選択すること、をさらに備える請求項１５に記載の方法。
【請求項２４】
前記１または複数のインタ・フレーム・タイミング・パラメータは、３２マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３７マイクロ秒に等しいＳｌｏｔ−Ｔｉｍｅ、３７マイクロ秒に等しいＳＩＦＳ時間、または１１１マイクロ秒に等しいＤＩＦＳ時間のうちの少なくとも１つを備え、
前記ダウン・クロックされた信号サンプルは、５ＭＨｚキャリアで送信される、請求項２３に記載の方法。
【請求項２５】
前記１または複数のインタ・フレーム・タイミング・パラメータは、２７マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３２マイクロ秒に等しいＳｌｏｔ−Ｔｉｍｅ、３２マイクロ秒に等しいＳＩＦＳ時間、または９６マイクロ秒に等しいＤＩＦＳ時間のうちの少なくとも１つを備え、
前記ダウン・クロックされた信号サンプルは、６ＭＨｚキャリアで送信される、請求項２３に記載の方法。
【請求項２６】
前記１または複数のインタ・フレーム・タイミング・パラメータは、２３マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２８マイクロ秒に等しいＳｌｏｔ−Ｔｉｍｅ、２８マイクロ秒に等しいＳＩＦＳ時間、または８４マイクロ秒に等しいＤＩＦＳ時間のうちの少なくとも１つを備え、
前記ダウン・クロックされた信号サンプルは、７ＭＨｚキャリアで送信される、請求項２３に記載の方法。
【請求項２７】
前記１または複数のインタ・フレーム・タイミング・パラメータは、２０マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２５マイクロ秒に等しいＳｌｏｔ−Ｔｉｍｅ、２５マイクロ秒に等しいＳＩＦＳ時間、または７５マイクロ秒に等しいＤＩＦＳ時間のうちの少なくとも１つを備え、
前記ダウン・クロックされた信号サンプルは、８ＭＨｚキャリアで送信される、請求項２３に記載の方法。
【請求項２８】
前記送信のプリアンブルの超高スループット信号フィールド・タイプＡ（ＶＨＴ−ＳＩＧＡフィールド）の１または複数のビットを用いることによって、２つまたは４つの４０ＭＨｚセグメントによる送信を示すこと、をさらに備える請求項１５に記載の方法。
【請求項２９】
無線通信のための装置であって、
符号化されたビットを取得するために直交周波数分割多重化にしたがってデータを符号化する手段と、
前記符号化されたビットを、複数の空間ストリームに関連付けられた複数のビットのパーティションに分割する手段と、
前記複数のビットのパーティションのおのおのを、２つまたは４つの４０ＭＨｚセグメントにセグメント化する手段と、
前記セグメント化された符号化されたビットに関連付けられた信号サンプルを、予め定義された係数でダウン・クロックする手段と、
テレビジョン（ＴＶ）ホワイト・スペースを用いるために構成された通信規格にしたがう複数の波形を用いて、前記ダウン・クロックされた信号サンプルを送信する手段と、を備える装置。
【請求項３０】
前記複数の波形は、８０２．１１ａｃベースの波形を備え、
前記セグメントのおのおのは、前記複数の波形の４０ＭＨｚ  ８０２．１１ａｃ波形で伝送され、
前記データは、４０ＭＨｚセグメントのおのおのにおいて、１２８のうち１０８のサブ・キャリアにポピュレートされる、請求項２９に記載の装置。
【請求項３１】
前記空間ストリームのビットのおのおのを、ラウンド・ロビン方式で、セグメントのおのおのに割り当てる手段、をさらに備える請求項２９に記載の装置。
【請求項３２】
パーティションのうちの第１のサイズのビットの各シーケンスを、そのパーティションにおけるすべてのビットが割り当てられるまで、または、割り当てられていない余剰ビットの数が、前記第１のサイズ未満になるまで、ラウンド・ロビン方式で、セグメントのおのおのに割り当てる手段と、
前記割り当てられていない余剰ビットの数がゼロではない場合、前記割り当てられていない余剰ビットの第２のサイズのビットの各シーケンスを、パーティションにおけるすべてのビットが割り当てられるまで、ラウンド・ロビン方式で、セグメントのおのおのに割り当てる手段と、をさらに備える請求項２９に記載の装置。
【請求項３３】
前記第１のサイズは、前記４０ＭＨｚセグメントの数、データを符号化するエンコーダの数、または、前記複数の空間ストリームのうちの空間ストリーム毎のサブ・キャリア毎のビットの数のうちの少なくとも１つに基づき、
前記第２のサイズは、空間ストリーム毎のサブ・キャリア毎のビットの数に基づき、
前記第２のサイズは、前記第１のサイズよりも小さい、請求項３２に記載の装置。
【請求項３４】
前記２つまたは４つのセグメントのうちのセグメントのビットを、複数の波形のうちの４０ＭＨｚ  ８０２．１１ａｃ波形の１０８のサブ・キャリアにインタリーブする手段をさらに備え、
前記符号化は、バイナリ畳み込み符号（ＢＣＣ）ベースの符号化を備える、請求項２９に記載の装置。
【請求項３５】
４つの個別の処理チェーンをさらに備え、
これら処理チェーンのおのおのは、４０ＭＨｚセグメントのうちの１つに割り当てられ、
これら処理チェーンのおのおのは、４０ＭＨｚ  ８０２．１１ａｃ送信に関連付けられた送信チェーンと同一である、請求項２９に記載の装置。
【請求項３６】
前記送信する手段はさらに、前記ダウン・クロックされた信号サンプルを、２つの個別の５ＭＨｚキャリアで、または、係数が８である場合、４つの個別の５ＭＨｚキャリアで、または、係数が４０／６である場合、２つまたは４つの個別の６ＭＨｚキャリアで、または、係数が４０／７である場合、２つまたは４つの個別の７ＭＨｚキャリアで、または、係数が５である場合、２つまたは４つの個別の８ＭＨｚキャリアで送信するように構成された、請求項２９に記載の装置。
【請求項３７】
前記ダウン・クロックされた信号サンプルを送信する際に使用される１または複数のインタ・フレーム・タイミング・パラメータを選択する手段、をさらに備える請求項２９に記載の装置。
【請求項３８】
前記１または複数のインタ・フレーム・タイミング・パラメータは、３２マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３７マイクロ秒に等しいＳｌｏｔ−Ｔｉｍｅ、３７マイクロ秒に等しいＳＩＦＳ時間、または１１１マイクロ秒に等しいＤＩＦＳ時間のうちの少なくとも１つを備え、
前記ダウン・クロックされた信号サンプルは、５ＭＨｚキャリアで送信される、請求項３７に記載の装置。
【請求項３９】
前記１または複数のインタ・フレーム・タイミング・パラメータは、２７マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３２マイクロ秒に等しいＳｌｏｔ−Ｔｉｍｅ、３２マイクロ秒に等しいＳＩＦＳ時間、または９６マイクロ秒に等しいＤＩＦＳ時間のうちの少なくとも１つを備え、
前記ダウン・クロックされた信号サンプルは、６ＭＨｚキャリアで送信される、請求項３７に記載の装置。
【請求項４０】
前記１または複数のインタ・フレーム・タイミング・パラメータは、２３マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２８マイクロ秒に等しいＳｌｏｔ−Ｔｉｍｅ、２８マイクロ秒に等しいＳＩＦＳ時間、または８４マイクロ秒に等しいＤＩＦＳ時間のうちの少なくとも１つを備え、
前記ダウン・クロックされた信号サンプルは、７ＭＨｚキャリアで送信される、請求項３７に記載の装置。
【請求項４１】
前記１または複数のインタ・フレーム・タイミング・パラメータは、２０マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２５マイクロ秒に等しいＳｌｏｔ−Ｔｉｍｅ、２５マイクロ秒に等しいＳＩＦＳ時間、または７５マイクロ秒に等しいＤＩＦＳ時間のうちの少なくとも１つを備え、
前記ダウン・クロックされた信号サンプルは、８ＭＨｚキャリアで送信される、請求項３７に記載の装置。
【請求項４２】
前記送信のプリアンブルの超高スループット信号フィールド・タイプＡ（ＶＨＴ−ＳＩＧＡフィールド）の１または複数のビットを用いることによって、２つまたは４つの４０ＭＨｚセグメントによる送信を示す手段、をさらに備える請求項２９に記載の装置。
【請求項４３】
無線通信のためのコンピュータ読取可能な記憶媒体であって、コンピュータに、
符号化されたビットを取得するために直交周波数分割多重化にしたがってデータを符号化させ、
前記符号化されたビットを、複数の空間ストリームに関連付けられた複数のビットのパーティションに分割させ、
前記複数のビットのパーティションのおのおのを、２つまたは４つの４０ＭＨｚセグメントにセグメント化させ、
前記セグメント化された符号化されたビットに関連付けられた信号サンプルを、予め定義された係数でダウン・クロックさせ、
テレビジョン（ＴＶ）ホワイト・スペースを用いるために構成された通信規格にしたがう複数の波形を用いて、前記ダウン・クロックされた信号サンプルを送信させるためのコードを備えるコンピュータ読取可能な記憶媒体。
【請求項４４】
アクセス・ポイントであって、
少なくとも１つのアンテナと、
符号化されたビットを取得するために直交周波数分割多重化にしたがってデータを符号化するように構成された１または複数のエンコーダと、
前記符号化されたビットを、複数の空間ストリームに関連付けられた複数のビットのパーティションに分割するように構成された第１の回路と、
前記複数のビットのパーティションのおのおのを、２つまたは４つの４０ＭＨｚセグメントにセグメント化するように構成された第２の回路と、
前記セグメント化された符号化されたビットに関連付けられた信号サンプルを、予め定義された係数でダウン・クロックするように構成された第３の回路と、
テレビジョン（ＴＶ）ホワイト・スペースを用いるために構成された通信規格にしたがう複数の波形を用いて、前記ダウン・クロックされた信号サンプルを送信するように構成された送信機と、を備えるアクセス・ポイント。
【請求項４５】
無線通信のための装置であって、
インデクスされた複数の空間ストリームを備える波形を受信するように構成された受信機と、ここで、前記空間ストリームのおのおのは、第１のサイズの２つまたは４つの個別のセグメントで伝送され、前記受信された波形は、テレビジョン（ＴＶ）ホワイト・スペースを用いるために構成された通信規格にしたがう波形を備え、前記第１のサイズは、５ＭＨｚ帯域幅、６ＭＨｚ帯域幅、７ＭＨｚ帯域幅、または８ＭＨｚ帯域幅を備える、
直交周波数分割多重化にしたがって、前記第１のサイズの２つまたは４つの個別のセグメントのおのおのにおける複数の空間ストリームのおのおののビットを復号およびデインタリーブするように構成された第１の回路と、ここで、前記第１の回路による前記復号及びデインタリーブ処理は、４０ＭＨｚ直交周波数分割多重化にしたがう復号及びデインタリーブ処理を含む、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージするように構成された第２の回路と、を備える装置。
【請求項４６】
受信されたデータ・ビット・ストリームを取得するために、前記複数の空間ストリームのうちの個別の空間ストリームのビットをマージするように構成された第３の回路、をさらに備える請求項４５に記載の装置。
【請求項４７】
前記受信された波形は、８０２．１１ａｆベースの波形を備える、請求項４５に記載の装置。
【請求項４８】
無線通信のための方法であって、
インデクスされた複数の空間ストリームを備える波形を受信することと、ここで、前記複数の空間ストリームのおのおのは、第１のサイズの２つまたは４つの個別のセグメントで伝送され、前記受信された波形は、テレビジョン（ＴＶ）ホワイト・スペースを用いるために構成された通信規格にしたがう波形を備え、前記第１のサイズは、５ＭＨｚ帯域幅、６ＭＨｚ帯域幅、７ＭＨｚ帯域幅、または８ＭＨｚ帯域幅を備える、
直交周波数分割多重化にしたがって、前記第１のサイズの２つまたは４つの個別のセグメントのおのおのにおいて、前記複数の空間ストリームのおのおののビットを、復号およびデインタリーブすることと、ここで、前記復号及びデインタリーブすることは、４０ＭＨｚ直交周波数分割多重化にしたがって復号及びデインタリーブすることを含む、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージすることと、を備える方法。
【請求項４９】
受信されたデータ・ビット・ストリームを取得するために、前記複数の空間ストリームのうちの個別の空間ストリームのビットをマージすること、をさらに備える請求項４８に記載の方法。
【請求項５０】
前記受信された波形は、８０２．１１ａｆベースの波形を備える、請求項４８に記載の方法。
【請求項５１】
無線通信のための装置であって、
インデクスされた複数の空間ストリームを備える波形を受信する手段と、ここで、前記複数の空間ストリームのおのおのは、第１のサイズの２つまたは４つの個別のセグメントで伝送され、前記受信された波形は、テレビジョン（ＴＶ）ホワイト・スペースを用いるために構成された通信規格にしたがう波形を備え、前記第１のサイズは、５ＭＨｚ帯域幅、６ＭＨｚ帯域幅、７ＭＨｚ帯域幅、または８ＭＨｚ帯域幅を備える、
直交周波数分割多重化にしたがって、前記第１のサイズの２つまたは４つの個別のセグメントのおのおのにおいて、前記複数の空間ストリームのおのおののビットを、復号およびデインタリーブする手段と、ここで、前記復号及びデインタリーブする手段は、４０ＭＨｚ直交周波数分割多重化にしたがって復号及びデインタリーブする手段を含む、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージする手段と、を備える装置。
【請求項５２】
受信されたデータ・ビット・ストリームを取得するために、前記複数の空間ストリームのうちの個別の空間ストリームのビットをマージする手段、をさらに備える請求項５１に記載の装置。
【請求項５３】
前記受信された波形は、８０２．１１ａｆベースの波形を備える、請求項５１に記載の装置。
【請求項５４】
無線通信のためのコンピュータ読取可能な記憶媒体であって、コンピュータに、
インデクスされた複数の空間ストリームを備える波形を受信させるためのコードと、ここで、前記複数の空間ストリームのおのおのは、第１のサイズの２つまたは４つの個別のセグメントで伝送され、前記受信された波形は、テレビジョン（ＴＶ）ホワイト・スペースを用いるために構成された通信規格にしたがう波形を備え、前記第１のサイズは、５ＭＨｚ帯域幅、６ＭＨｚ帯域幅、７ＭＨｚ帯域幅、または８ＭＨｚ帯域幅を備える、
直交周波数分割多重化にしたがって、前記第１のサイズの２つまたは４つの個別のセグメントのおのおのにおいて、前記複数の空間ストリームのおのおののビットを、復号およびデインタリーブさせるためのコードと、ここで、前記復号及びデインタリーブさせるためのコードは、４０ＭＨｚ直交周波数分割多重化にしたがって復号及びデインタリーブさせるためのコードを含む、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージさせるためのコードと、を備えるコンピュータ読取可能な記憶媒体。
【請求項５５】
アクセス端末であって、
少なくとも１つのアンテナと、
インデクスされた複数の空間ストリームを備える波形を、前記少なくとも１つのアンテナを介して受信するように構成された受信機と、ここで、前記複数の空間ストリームのおのおのは、第１のサイズの２つまたは４つの個別のセグメントで伝送され、前記受信された波形は、テレビジョン（ＴＶ）ホワイト・スペースを用いるために構成された通信規格にしたがう波形を備え、前記第１のサイズは、５ＭＨｚ帯域幅、６ＭＨｚ帯域幅、７ＭＨｚ帯域幅、または８ＭＨｚ帯域幅を備える、
直交周波数分割多重化にしたがって、前記第１のサイズの２つまたは４つの個別のセグメントのおのおのにおいて、前記複数の空間ストリームのおのおののビットを、復号およびデインタリーブするように構成された第１の回路と、ここで、前記第１の回路による前記復号及びデインタリーブ処理は、４０ＭＨｚ直交周波数分割多重化にしたがう復号及びデインタリーブ処理を含む、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージするように構成された第２の回路と、を備えるアクセス端末。
【発明の詳細な説明】
【優先権主張】
【０００１】
本特許出願は、本特許出願の譲受人に譲渡され本明細書において参照によって明確に組み込まれている２０１１年４月１３日出願の「ＩＥＥＥ  ８０２．１１ａｆへの適用を備えたＩＥＥＥ  ８０２．１１ａｃ波形を用いたＩＥＥＥ  ８０２．１１無線システムのための４０＋４０ＭＨｚモードおよび４０＋４０＋４０＋４０ＭＨｚモード」（40+40 MHz and 40+40+40+40 MHz transmission modes for IEEE 802.11 wireless systems using IEEE 802.11ac waveforms with application to IEEE 802.11af）と題された米国仮出願６１／４７５，１５３号に対する利益を主張する。
【技術分野】
【０００２】
本開示のある態様は、一般に、無線通信に関し、さらに詳しくは、ＩＥＥＥ  ８０２．１１ａｆ無線通信規格への適用を備えたＩＥＥＥ  ８０２．１１ａｃ波形を用いたＩＥＥＥ  ８０２．１１無線システムのための４０＋４０ＭＨｚモードおよび４０＋４０＋４０＋４０ＭＨｚモードを生成するための方法および装置に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、使用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信システムのために要求される帯域幅要件が増加する問題に対処するために、複数のユーザ端末が、チャネル・リソースを共有することによって、高データ・スループットを達成しながら、単一のアクセス・ポイントと通信することを可能にするための、異なるスキームが開発されている。複数入力複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００５】
ＩＥＥＥ  ８０２．１１  ＷＬＡＮ規格体系は、毎秒１ギガビットを超えるアグリゲート・スループットを目標として５ＧＨｚのキャリア周波数を用いた超高スループット（ＶＨＴ）アプローチに基づく送信のための仕様（すなわち、ＩＥＥＥ  ８０２．１１ａｃ仕様）を確立した。ＶＨＴ  ５ＧＨｚ仕様を可能にする技術のうちの１つは、より広いチャネル帯域幅である。これは、８０ＭＨｚ帯域幅のために２つの４０ＭＨｚチャネルを結合し、もって、ＩＥＥＥ  ８０２．１１ｎ規格と比較して無視できるコスト増で、物理レイヤ（ＰＨＹ）データ・レートを２倍にする。
【０００６】
「ホワイトｆｉ」として知られているスキームは、テレビジョン（ＴＶ）帯域において使用されていない周波数スペクトル（すなわち、ＴＶホワイト・スペース）を用いてＷｉ−Ｆｉ技術を拡張することを伴う。電気電子学会（ＩＥＥＥ）８０２．１１ａｆタスク・グループは、ＴＶホワイト・スペース（ＴＶＷＳ）を使用するために、ＩＥＥＥ  ８０２．１１規格に対する改訂を定義するために作られた。ＩＥＥＥ  ８０２．１１は、短距離通信（例えば、数１０メートルから数１００メール）のため、ＩＥＥＥ  ８０２．１１委員会によって開発されたＷＬＡＮエア・インタフェース規格のセットを定義する。しかしながら、１ＧＨｚ未満の周波数をもつＴＶＷＳを用いることによって、ＩＥＥＥ  ８０２．１１ａｆは、ＴＶスペクトルにおいて使用されていない周波数によって提供される帯域幅増加に加えて、より長い伝搬距離が達成されるようになりうる。
【発明の概要】
【０００７】
本開示のある態様は、無線通信のための装置を提供する。この装置は一般に、無線通信規格のＩＥＥＥ  ８０２．１１体系にしたがってデータを符号化して、符号化されたビットを取得するように構成された１または複数のエンコーダと、符号化されたビットを、複数の空間ストリームに関連付けられた複数のビットのパーティションに分割するように構成された第１の回路と、ビットのパーティションのおのおのを、２つまたは４つの４０ＭＨｚセグメントにセグメント化するように構成された第２の回路と、セグメント化された符号化されたビットを、無線通信規格のＩＥＥＥ  ８０２．１１体系にしたがって、複数の波形を用いて、これらセグメントを介して送信するように構成された送信機と、セグメント化された符号化されたビットに関連付けられたダウン・クロックされた信号サンプルを送信する際に使用される１または複数のインタ・フレーム・タイミング・パラメータを選択するように構成された第４の回路と、を含む。ここで、ビットのパーティションをセグメント化するように構成された第２の回路は、パーティションのうちの第１のサイズのビットの各シーケンスを、そのパーティションにおけるすべてのビットが割り当てられるまで、または、割り当てられていない余剰ビットの数が、第１のサイズ未満になるまで、ラウンド・ロビン方式で、セグメントのおのおのに割り当てるように構成された第３の回路を備え、第３の回路はさらに、割り当てられていない余剰ビットの数がゼロではなく、第２のサイズが第１のサイズよりも小さい場合、割り当てられていない余剰ビットの第２のサイズのビットの各シーケンスを、パーティションにおけるすべてのビットが割り当てられるまで、ラウンド・ロビン方式で、セグメントのおのおのに割り当てる
ように構成される。
【０００８】
本開示のある態様は、無線通信のための方法を提供する。この方法は一般に、装置の１または複数のエンコーダによって、無線通信規格のＩＥＥＥ  ８０２．１１体系にしたがってデータを符号化して、符号化されたビットを取得することと、符号化されたビットを、複数の空間ストリームに関連付けられた複数のビットのパーティションに分割することと、ビットのパーティションのおのおのを、２つまたは４つの４０ＭＨｚセグメントにセグメント化することと、セグメント化された符号化されたビットを、無線通信規格のＩＥＥＥ  ８０２．１１体系にしたがって、複数の波形を用いて、これらセグメントを介して送信することと、セグメント化された符号化されたビットに関連付けられたダウン・クロックされた信号サンプルを送信する際に使用される１または複数のインタ・フレーム・タイミング・パラメータを選択することと、を含む。
【０００９】
本開示のある態様は、無線通信のための装置を提供する。この装置は一般に、１または複数のエンコーダによって、無線通信規格のＩＥＥＥ  ８０２．１１体系にしたがってデータを符号化して、符号化されたビットを取得する手段と、符号化されたビットを、複数の空間ストリームに関連付けられた複数のビットのパーティションに分割する手段と、ビットのパーティションのおのおのを、２つまたは４つの４０ＭＨｚセグメントにセグメント化する手段と、セグメント化された符号化されたビットを、無線通信規格のＩＥＥＥ  ８０２．１１体系にしたがって、複数の波形を用いて、これらセグメントを介して送信する手段と、を含む。
【００１０】
本開示のある態様は、無線通信のためのコンピュータ・プログラム製品を提供する。コンピュータ・プログラム製品は、装置の１または複数のエンコーダによって、無線通信規格のＩＥＥＥ  ８０２．１１体系にしたがってデータを符号化して、符号化されたビットを取得し、符号化されたビットを、複数の空間ストリームに関連付けられた複数のビットのパーティションに分割し、ビットのパーティションのおのおのを、２つまたは４つの４０ＭＨｚセグメントにセグメント化し、セグメント化された符号化されたビットを、無線通信規格のＩＥＥＥ  ８０２．１１体系にしたがって、複数の波形を用いて、これらセグメントを介して送信すること、を実行することが可能な命令群を備えるコンピュータ読取可能な媒体を含む。
【００１１】
本開示のある態様は、アクセス・ポイントを提供する。アクセス・ポイントは一般に、少なくとも１つのアンテナと、無線通信規格のＩＥＥＥ  ８０２．１１体系にしたがってデータを符号化して、符号化されたビットを取得するように構成された１または複数のエンコーダと、符号化されたビットを、複数の空間ストリームに関連付けられた複数のビットのパーティションに分割するように構成された第１の回路と、ビットのパーティションのおのおのを、２つまたは４つの４０ＭＨｚセグメントにセグメント化するように構成された第２の回路と、セグメント化された符号化されたビットを、無線通信規格のＩＥＥＥ  ８０２．１１体系にしたがって、複数の波形を用いて、少なくとも１つのアンテナを経由して、これらセグメントを介して送信するように構成された送信機と、を含む。
【００１２】
本開示のある態様は、無線通信のための装置を提供する。この装置は一般に、インデクスされた複数の空間ストリームを備える波形を受信するように構成された受信機と、ここで、これらストリームのおのおのは、第１のサイズの２つまたは４つの個別のセグメントで伝送される、第１のサイズの２つまたは４つの個別のセグメントのおのおのにおいて、複数の空間ストリームのおのおののビットを、無線通信規格のＩＥＥＥ  ８０２．１１体系にしたがって復号およびデインタリーブするように構成された第１の回路と、第１のサイズの２つまたは４つの個別のセグメントにおける空間ストリーム・インデクスの成分ビットからの、インデクスされた複数の空間ストリームの同じ空間ストリーム・インデクスに対応するビットをマージするように構成された第２の回路と、ここで、第１の回路は、無線通信規格のＩＥＥＥ  ８０２．１１体系の４０ＭＨｚ  ８０２．１１ａｃ仕様にしたがって動作するデコーダおよびデインタリーバを備える、を含む。
【００１３】
本開示のある態様は、無線通信のための方法を提供する。この方法は一般に、インデクスされた複数の空間ストリームを備える波形を受信することと、ここで、これらストリームのおのおのは、第１のサイズの２つまたは４つの個別のセグメントで伝送される、第１のサイズの２つまたは４つの個別のセグメントのおのおのにおいて、複数の空間ストリームのおのおののビットを、無線通信規格のＩＥＥＥ  ８０２．１１体系にしたがって復号およびデインタリーブすることと、第１のサイズの２つまたは４つの個別のセグメントにおける空間ストリーム・インデクスの成分ビットからの、インデクスされた複数の空間ストリームの同じ空間ストリーム・インデクスに対応するビットをマージすることと、を含む。
【００１４】
本開示のある態様は、無線通信のための装置を提供する。この装置は一般に、インデクスされた複数の空間ストリームを備える波形を受信する手段と、ここで、これらストリームのおのおのは、第１のサイズの２つまたは４つの個別のセグメントで伝送される、第１のサイズの２つまたは４つの個別のセグメントのおのおのにおいて、複数の空間ストリームのおのおののビットを、無線通信規格のＩＥＥＥ  ８０２．１１体系にしたがって復号およびデインタリーブする手段と、第１のサイズの２つまたは４つの個別のセグメントにおける空間ストリーム・インデクスの成分ビットからの、インデクスされた複数の空間ストリームの同じ空間ストリーム・インデクスに対応するビットをマージする手段と、を含む。
【００１５】
本開示のある態様は、無線通信のためのコンピュータ・プログラム製品を提供する。コンピュータ・プログラム製品は、インデクスされた複数の空間ストリームを備える波形を受信し、ここで、これらストリームのおのおのは、第１のサイズの２つまたは４つの個別のセグメントで伝送される、第１のサイズの２つまたは４つの個別のセグメントのおのおのにおいて、複数の空間ストリームのおのおののビットを、無線通信規格のＩＥＥＥ  ８０２．１１体系にしたがって復号およびデインタリーブし、第１のサイズの２つまたは４つの個別のセグメントにおける空間ストリーム・インデクスの成分ビットからの、インデクスされた複数の空間ストリームの同じ空間ストリーム・インデクスに対応するビットをマージすること、を実行することが可能な命令群を備えるコンピュータ読取可能な媒体を含む。
【００１６】
本開示のある態様は、アクセス端末を提供する。アクセス端末は一般に、少なくとも１つのアンテナと、インデクスされた複数の空間ストリームを備える波形を、少なくとも１つのアンテナを介して受信するように構成された受信機と、ここで、これらストリームのおのおのは、第１のサイズの２つまたは４つの個別のセグメントで伝送される、第１のサイズの２つまたは４つの個別のセグメントのおのおのにおいて、複数の空間ストリームのおのおののビットを、無線通信規格のＩＥＥＥ  ８０２．１１体系にしたがって復号およびデインタリーブするように構成された第１の回路と、第１のサイズの２つまたは４つの個別のセグメントにおける空間ストリーム・インデクスの成分ビットからの、インデクスされた複数の空間ストリームの同じ空間ストリーム・インデクスに対応するビットをマージするように構成された第２の回路と、を含む。
【図面の簡単な説明】
【００１７】
本開示の前述した特徴が、より詳細に理解される方式で、簡潔に要約された前述の具体的な記載が、態様に対する参照によってなされている。そして、それらの幾つかは、添付図面で例示されている。
【００１８】
しかしながら、この記載は、その他の等しく有効な態様に対しても適合するので、添付図面は、本開示のある典型的な態様のみを示していることや、本開示の範囲を限定するものとしては考慮されないことが注目されるべきである。
【図１】図１は、本開示のある態様にしたがう無線通信ネットワークの図解を例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがうＶＨＴ−ＳＩＧ−Ａ（超高スループット信号フィールド・タイプＡ）帯域幅インジケーションの例を例示する。
【図５】図５は、本開示のある態様にしたがう４０＋４０ＭＨｚ送信モードおよび４０＋４０＋４０＋４０ＭＨｚ送信モードの特徴の例を例示する。
【図６】図６は、本開示のある態様にしたがう４０＋４０ＭＨｚ送信モードのための送信機のブロック図の例を例示する。
【図７】図７は、本開示のある態様にしたがう４０＋４０＋４０＋４０ＭＨｚ送信モードのための送信機のブロック図の例を例示する。
【図８】図８は、本開示のある態様にしたがって送信デバイスで実行されうる動作の例を例示する。
【図８Ａ】図８Ａは、図８に示される動作を実行することが可能な構成要素の例を例示する。
【図９】図９は、本開示のある態様にしたがって受信デバイスで実行されうる動作の例を例示する。
【図９Ａ】図９Ａは、図９に示される動作を実行することが可能な構成要素の例を例示する。
【図１０】図１０は、本開示のある態様にしたがうインタ・フレーム空間の例を例示する。
【発明を実施するための形態】
【００１９】
本開示のさまざまな態様は、添付図面を参照して以下により十分に記載される。しかしながら、本開示は、異なる多くの形態で具体化され、本開示を通じて示されたいかなる具体的な構成または機能にも限定されるとは解釈されるべきではない。むしろ、これらの態様は、本開示が十分で完全であり、本開示の範囲を当業者に十分に伝達できるように提供されている。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実現され、方法が実施されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００２０】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００２１】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２２】
（典型的な無線通信システム）  
本明細書に記載された技術は、直交多重化スキームに基づく通信システムを含むさまざまなブロードバンド無線通信システムのために使用される。このような通信システムの例は、空間分割多元接続（ＳＤＭＡ）システム、時分割多元接続（ＴＤＭＡ）システム、直交周波数分割多元接続（ＯＦＤＭＡ）システム、シングル・キャリア周波数分割多元接続（ＳＣ−ＦＤＭＡ）システム等を含んでいる。ＳＤＭＡシステムは、複数のユーザ端末に属するデータを同時に送信するために、十分に異なる方向を利用しうる。ＴＤＭＡシステムによって、複数のユーザ端末は、送信信号を複数の異なる時間スロットに分割することによって、同じ周波数チャネルを共有できるようになる。ここで、おのおのの時間スロットは、異なるユーザ端末に割り当てられる。ＴＤＭＡシステムは、ＧＳＭ（登録商標）、または、当該技術分野で周知のその他の規格を実施しうる。ＯＦＤＭＡシステムは、直交周波数分割多重（ＯＦＤＭ）を利用する。これは、システム帯域幅全体を、複数の直交サブ・キャリアへ分割する変調技術である。これらサブ・キャリアはまた、トーン、ビン等とも称されうる。各サブ・キャリアは、ＯＦＤＭを用いて、データと独立して変調される。ＯＦＤＭシステムは、ＩＥＥＥ  ８０２．１１、または、当該技術分野で周知のその他の規格を実施しうる。ＳＣ−ＦＤＭＡシステムは、システム帯域幅にわたって分散されたサブ・キャリアで送信するインタリーブＦＤＭＡ（ＩＦＤＭＡ）、隣接するサブ・キャリアのブロックで送信するローカライズドＦＤＭＡ（ＬＦＤＭＡ）、あるいは、隣接するサブ・キャリアの複数のブロックで送信するエンハンストＦＤＭＡ（ＥＦＤＭＡ）を利用する。一般に、変調シンボルは、ＯＦＤＭを用いて周波数領域で、ＳＣ−ＦＤＭＡを用いて時間領域で生成される。ＳＣ−ＦＤＭＡシステムは、３ＧＰＰ−ＬＴＥ（第３世代パートナシップ計画ロング・ターム・イボリューション）、または、当該技術分野で周知のその他の規格を実施しうる。
【００２３】
本明細書に記載された教示は、さまざまな有線装置または無線装置（例えば、ノード）へ組み込まれうる（例えば、これら内で実行されるか、これらによって実施される）。いくつかの態様では、ノードは、無線ノードを備える。このような無線ノードは、例えば、有線または無線による通信リンクによる（例えば、インターネットまたはセルラ・ネットワークのような広域ネットワークのような）ネットワークへの、または、ネットワークのための接続を提供しうる。いくつかの態様では、本明細書における教示したがって実施される無線ノードは、アクセス・ポイントまたはアクセス端末を備えうる。
【００２４】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。いくつかの実装では、アクセス・ポイントは、セットトップ・ボックス・キオスク、メディア・センタ、または、無線媒体または有線媒体を介して通信するように構成されたその他任意の適切なデバイスを備えうる。本開示のある態様によれば、アクセス・ポイントは、無線通信規格の電気電子学会（ＩＥＥＥ）８０２．１１体系にしたがって動作しうる。
【００２５】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、タブレット、エンタテイメント・デバイス（例えば、音楽またはビデオ・デバイス、または衛星ラジオ）、テレビ・ディスプレイ、フリップ・カム、セキュリティ・ビデオカメラ、デジタル・ビデオ・レコーダ（ＤＶＲ）、全地球測位システム・デバイス、あるいは無線媒体または有線媒体によって通信するように構成されたその他任意の適切なデバイスに組み入れられうる。本開示のある態様によれば、アクセス端末は、無線通信規格のＩＥＥＥ  ８０２．１１体系にしたがって動作しうる。
【００２６】
図１は、アクセス・ポイントおよびユーザ端末を備えた多元接続複数入力複数出力（ＭＩＭＯ）システム１００を例示する。簡略のために、図１には、１つのアクセス・ポイント１１０しか示されていない。アクセス・ポイントは、一般に、ユーザ端末と通信する固定局であり、基地局、またはその他いくつかの用語でも称されうる。ユーザ端末は、据置式または移動式であり、移動局、無線デバイス、またはその他いくつかの用語でも称されうる。アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアで通信しうる。システム・コントローラ１３０は、アクセス・ポイントに接続しており、アクセス・ポイントのための調整および制御を与える。
【００２７】
ある開示のために、後述する説明の一部は、空間分割多元接続（ＳＤＭＡ）で通信することが可能なユーザ端末１２０を説明しているが、ユーザ端末１２０はまた、ＳＤＭＡをサポートしないいくつかのユーザ端末をも含みうる。したがって、このような態様のために、ＡＰ１１０は、ＳＤＭＡユーザ端末と非ＳＤＭＡユーザ端末との両方と通信するように構成されうる。このアプローチによって、便利なことに、古いバージョンのユーザ端末（「レガシー」局）は、エンタプライズ内に引き続き配置され、有用な寿命を延ばすことができるようになるとともに、新たなＳＤＭＡユーザ端末が、適切なものとして導入されるようになる。
【００２８】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｋ個の選択されたユーザ端末１２０のセットは、集合的に、ダウンリンク送信のための複数の出力と、アップリンク送信のための複数の入力とを示す。純粋なＳＤＭＡの場合、Ｋ個のユーザ端末のためのデータ・シンボル・ストリームが、ある手段によって、符号、周波数、または時間で多重化されていない場合、Ｎａｐ≧Ｋ≧１を有することが望まれる。データ・シンボル・ストリームが、ＴＤＭＡ技術を用いて、ＣＤＭＡで異なる符号チャネルを用いて、ＯＦＤＭでサブ帯域の別のセットを用いて、等で多重化されうるのであれば、Ｋは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｋ個の選択されたユーザ端末は、同じまたは異なる数のアンテナを有しうる。
【００２９】
ＳＤＭＡシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ユーザ端末１２０が、送信／受信を、別の時間スロットに分割することによって、同じ周波数チャネルを共有する場合、システム１００は、ＴＤＭＡシステムでもありうる。ここで、おのおのの時間スロットは、異なるユーザ端末１２０に割り当てられる。
【００３０】
図２は、ＭＩＭＯシステム１００におけるアクセス・ポイント１１０と２つのユーザ端末１２０ｍ，１２０ｘのブロック図を例示する。アクセス・ポイント１１０は、アンテナ２２４ａ乃至２２４ｔを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、無線チャネルを介してデータを送信することが可能な、独立して動作する装置またはデバイスであり、「受信エンティティ」は、無線チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００３１】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データを処理（例えば、符号化、インタリーブ、および変調）し、データ・シンボル・ストリームを提供する。ＴＸ空間プロセッサ２９０は、データ・シンボル・ストリームについて空間処理を実行し、Ｎｕｔ，ｍ個のアンテナのために、Ｎｕｔ，ｍ個の送信シンボルを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイントへ送信のために、Ｎｕｔ，ｍ個のアップリンク信号を提供する。
【００３２】
Ｎｕｐ個のユーザ端末は、アップリンクにおける同時通信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００３３】
アクセス・ポイント１１０では、Ｎａｐ個のアンテナ２２４ａ乃至２２４ａｐが、アップリンクで送信しているＮａｐ個すべてのユーザ端末からアップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、ソフト干渉除去（ＳＩＣ）、またはその他いくつかの技術にしたがって実行される。復号された各アップリンク・データ・シンボル・ストリームは、それぞれのユーザ端末によって送信されたデータ・シンボル・ストリームの推定値である。ＲＸデータ・プロセッサ２４２は、復号されたデータを取得するためにそのストリームのために使用されたレートにしたがって、復号されたアップリンク・データ・シンボル・ストリームを処理（例えば、復調、デインタリーブ、および復号）する。各ユーザ端末の復号されたデータは、格納のためにデータ・シンク２４４へ提供され、および／または、さらなる処理のためにコントローラ２３０へ提供されうる。
【００３４】
ダウンリンクでは、アクセス・ポイント１１０において、ＴＸデータ・プロセッサ２１０が、ダウンリンク送信のためにスケジュールされたＮｄｎ個のユーザ端末のためのトラフィック・データをデータ・ソース２０８から受信し、コントローラ２３０から制御データを受信し、恐らくは、スケジューラ２３４からその他のデータを受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて（例えば、本開示で説明されるようなプリコーディングまたはビームフォーミングのような）空間処理を実行し、Ｎａｐ個のアンテナのためにＮａｐ個の送信シンボル・ストリームを提供する。各送信機ユニット２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のためのダウンリンク信号を提供する。
【００３５】
各ユーザ端末１２０では、Ｎｕｔ，ｍ個のアンテナ２５２が、アクセス・ポイント１１０からＮａｐ個のダウンリンク信号を受信する。各受信機ユニット２５４は、関連するアンテナ２５２からの受信信号を処理し、受信シンボル・ストリームを提供する。ＲＸ空間プロセッサ２６０は、受信ユニット２５４からの受信シンボル・ストリームについて受信機空間処理を実行し、ユーザ端末のために復元されたダウンリンク・データ・シンボル・ストリームを提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００３６】
各ユーザ端末１２０では、チャネル推定器２７８が、ダウンリンク・チャネル応答を推定し、ダウンリンク・チャネル推定値を提供する。これは、チャネル・ゲイン推定値、ＳＮＲ推定値、ノイズ分散等を含みうる。同様に、チャネル推定器２２８は、アップリンク・チャネル応答を推定し、アップリンク・チャネル推定値を提供する。各ユーザ端末のコントローラ２８０は、一般に、ユーザ端末のためのダウンリンク・チャネル応答行列Ｈｄｎ，ｍに基づいて、ユーザ端末のための空間フィルタ行列を導出する。コントローラ２３０は、実効的なアップリンク・チャネル応答行列Ｈｕｐ，ｅｆｆに基づいて、アクセス・ポイントのための空間フィルタ行列を導出する。各ユーザ端末のコントローラ２８０は、アクセス・ポイントへフィードバック情報（例えば、ダウンリンクおよび／またはアップリンクの固有ベクトル、固有値、ＳＮＲ推定値等）を送信しうる。コントローラ２３０，２８０はさらに、アクセス・ポイント１１０およびユーザ端末１２０それぞれにおけるさまざまな処理ユニットの動作を制御する。
【００３７】
本開示のある態様によれば、図１に例示された無線システム１００は、ＩＥＥＥ  ８０２．１１ａｃ無線通信規格にしたがって動作しうる。ＩＥＥＥ  ８０２．１１ａｃは、ＩＥＥＥ  ８０２．１１無線ネットワークにおいてより高いスループットを可能にする新たなＩＥＥＥ  ８０２．１１改訂を表わす。例えば、一度に複数のユーザ端末（ＳＴＡ）へのパラレルな送信、または、より広いチャネル帯域幅（例えば、８０ＭＨｚまたは１６０ＭＨｚ）を用いることのようないくつかの手段によって、より高いスループットが実現されうる。ＩＥＥＥ  ８０２．１１ａｃは、超高スループット（ＶＨＴ）無線通信規格とも称される。
【００３８】
図３は、無線通信システム１００内で適用されうる無線デバイス３０２内で利用されうるさまざまな構成要素を示す。無線デバイス３０２は、本明細書で説明されるさまざまな方法を実施するために構成されうるデバイスの例である。無線デバイス３０２は、例えば、アクセス・ポイント１１０またはユーザ端末１２０に相当しうる。
【００３９】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００４０】
プロセッサ３０４は、１または複数のプロセッサで実現される処理システムの構成要素でありうるか、これら構成要素を備えうる。１または複数のプロセッサは、汎用マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、コントローラ、ステート・マシン、ゲート・ロジック、ディスクリート・ハードウェア構成要素、専用ハードウェア有限ステート・マシン、または情報の計算またはその他の操作を実行できうるその他任意の適切なエンティティ、からなる任意の組み合わせを用いて実現されうる。
【００４１】
処理システムはまた、ソフトウェアを格納するための機械読取可能な媒体をも含みうる。ソフトウェアは、ソフトウェア、ファームウェア、ミドルウェア、マイクロコード、ハードウェア記述言語、またはその他で称されようと、任意のタイプの命令群を意味すると広く解釈されるものとする。命令群は、（例えば、ソース・コード・フォーマット、バイナリ・コード・フォーマット、実行可能なコード・フォーマット、または、その他任意の適切なコードのフォーマットで）コードを含みうる。これら命令群は、１または複数のプロセッサによって実行された場合、処理システムに対して、本明細書に記載されたさまざまな機能を実行させる。
【００４２】
無線デバイス３０２はまた、無線デバイス３０２と別の無線ノード（例えば、遠い場所にある別の無線ノード）との間のデータの送信および受信を可能にする送信機３１０および受信機３１２を含みうるハウジング３０８を含みうる。送信機３１０および受信機３１２は、トランシーバ３１４に結合されうる。無線デバイス３０２はまた、トランシーバ３１４に電気的に接続された１または複数のアンテナ３１６を含みうる。無線デバイス３０２は、（図示されていない）複数の送信機、複数の受信機、複数のトランシーバ、および／または複数のアンテナを含みうる。
【００４３】
無線デバイス３０２はまた、トランシーバ３１４によって受信された信号を検出し、そのレベルを定量化しうる信号検出器３１８を含みうる。信号検出器３１８は、合計エネルギ、シンボル毎のサブ・キャリア毎のエネルギ、電力スペクトル密度、および／または、その他の定量メトリクスを用いて、このような信号の検出を定量化しうる。無線デバイス３０２は、信号を処理する際に使用されるデジタル信号プロセッサ（ＤＳＰ）３２０をも含みうる。
【００４４】
無線デバイス３０２のさまざまな構成要素は、データ・バスのみならず電力バス、制御信号バス、およびステータス信号バスを含みうるバス・システム３２２によって、ともに結合されうる。
【００４５】
本開示のある態様は、ＩＥＥＥ  ８０２．１１ａｃ無線通信規格の物理レイヤ（ＰＨＹ）仕様に含まれうる、４０＋４０ＭＨｚ送信モードおよび４０＋４０＋４０＋４０ＭＨｚ送信モードを生成するための方法および装置をサポートする。本開示の態様では、個別のラジオ周波数（ＲＦ）チェーンを用いることによって、互いに隣接することもしないこともありうる２つまたは４つの個別のキャリアを有することによって、８０２．１１ａｃのための８０ＭＨｚおよび１６０ＭＨｚ動作が実現されうる。本開示はさらに、テレビジョン・ホワイト・スペース（ＴＶＷＳ、またはＩＥＥＥ  ８０２．１１ａｆ）で使用するマルチキャリアＰＨＹを実現するために、予め定義された係数でダウン・クロックされうるＰＨＹレイヤを提供する。
【００４６】
（ＩＥＥＥ  ８０２．１１ａｃのための４０＋４０ＭＨｚ送信モードおよび４０＋４０＋４０＋４０ＭＨｚ送信モードの設計）  
ＩＥＥＥ  ８０２．１１ａｃのために４０＋４０ＭＨｚ送信モードを設計する動機は、８０２．１１ａｃ  ４０＋４０ＭＨｚ送信を係数８でダウン・クロックすることによって、ＩＥＥＥ  ８０２．１１ａｆにおいて５ＭＨｚモードを生成することである。態様では、ＩＥＥＥ  ８０２．１１ａｆにおける１０ＭＨｚモードは、５ＭＨｚ／１０ＭＨｚ共存を考慮するために、マルチキャリア・アプローチによって達成される必要がありうる。この理由は、ＴＶＷＳにおけるチャネライゼーションが、５ＭＨｚよりも大きなステップ内にあることである。したがって、８０２．１１ａｆのため５＋５ＭＨｚモードへクロック・ダウンされうる、８０２．１１ａｃにおける非隣接帯域を伴う４０＋４０ＭＨｚ送信モードが必要とされうる。４つのＴＶＷＳ  ５ＭＨｚチャネルが利用可能でありうる場合、８０２．１１ａｃにおける非隣接帯域を伴う４０＋４０＋４０＋４０ＭＨｚ伝送モードがクロック・ダウンされ、８０２．１１ａｆのための５＋５＋５＋５ＭＨｚモードが取得されうる。
【００４７】
物理レイヤ集中手順（ＰＬＣＰ：Physical layer convergence procedure）プロトコル・データ・ユニット（ＰＰＤＵ）の帯域幅は、８０１．１１ａｃ  ＰＰＤＵのＶＨＴ−ＳＩＧＡフィールド（超高スループット信号フィールド・タイプＡ）内に示されうる。図４は、本開示のある態様にしたがうＶＨＴ−ＳＩＧＡ帯域幅インジケーションの例を例示する。図４における表４００に例示されるように、現在利用されているＶＨＴ−ＳＩＧＡ帯域幅ビットは、Ｂ０ビットおよびＢ１ビットである。一方、Ｂ２ビットは、帯域幅フィールドの可能な拡張のために確保されており、「１」に設定されている。
【００４８】
本開示の態様では、ＶＨＴ−ＳＩＧＡフィールドのうち、１または複数のビット（例えばＢ２ビット）が、４０＋４０ＭＨｚ送信モードおよび４０＋４０＋４０の＋４０ＭＨｚ送信モードを示すために使用されうる。図４における表４０２は、新たな信号フィールド帯域幅インジケーションを例示する。すべての変調−符号化スキーム（ＭＣＳ）が利用可能でありうることが注目されるべきである。さらに、より高い数の空間ストリーム（ＳＳ）のために、最大６つのエンコーダが必要とされうる。
【００４９】
図５は、本開示のある態様にしたがう４０＋４０ＭＨｚ送信モードおよび４０＋４０＋４０＋４０ＭＨｚ送信モードの特徴５００の例を例示する。４０＋４０ＭＨｚモードと、連続的な８０ＭＨｚモードとの間の異なる特徴のみならず、４０＋４０＋４０＋４０ＭＨｚモードと、連続的な１６０ＭＨｚモードとの間の異なる特徴が注目されるべきである。
【００５０】
図６は、本開示のある態様にしたがう８０２．１１ａｃのための４０＋４０ＭＨｚ送信モードのための送信機のブロック図６００の例を例示する。送信機のブロック図６００は、不連続な８０＋８０ＭＨｚモード用の図解と同様でありうるが、唯一の相違点は、離散逆フーリエ変換（ＩＤＦＴ）ブロックのサイズでありうる（すなわち、２５６−ＩＤＦＴが、８０ＭＨｚを備えるセグメントのサブ・キャリアに対応する代わりに、１２８であるＩＤＦＴのサイズが、４０ＭＨｚのセグメントにおけるサブ・キャリアの数に対応する）ことが注目されるべきである。図６から、４０＋４０ＭＨｚ  ８０２．１１ａｃ送信機のために、２つのＲＦ処理チェーンが必要とされうることが観察されうる。
【００５１】
（４０＋４０ＭＨｚモードのためのＰＨＹ仕様）  
本開示の態様では、不連続な４０＋４０ＭＨｚ  ＶＨＴ  ＰＰＤＵ送信の場合に、各４０ＭＨｚ周波数セグメントが、１２８のサブ・キャリアに分割されうる。各周波数セグメントでは、信号は、サブ・キャリア−５８乃至−２、およびサブ・キャリア２乃至５８で送信されうる。
【００５２】
プリアンブルのレイテンシ・ショート・トレーニング・フィールド（Ｌ−ＳＴＦ）に関しては、２つの４０ＭＨｚ周波数セグメントを用いた不連続送信のために、各４０ＭＨｚ周波数セグメントは、８０２．１１ｎ  ４０ＭＨｚ  ＳＴＦに関して定義された、４０ＭＨｚのためのＬ−ＳＴＦパターン（Ｓ−５８，５８）を利用しうる。プリアンブルのレイテンシ・ロング・トレーニング・フィールド（Ｌ−ＬＴＦ）に関しては、２つの４０ＭＨｚ周波数セグメントを用いた不連続送信のために、各４０ＭＨｚ周波数セグメントは、８０２．１１ｎ  ４０ＭＨｚ  ＬＴＦに関して定義された、４０ＭＨｚのためのＬ−ＬＴＦパターン（Ｌ−５８，５８）を利用しうる。
【００５３】
プリアンブルの超高スループット信号フィールド・タイプＡ（ＶＨＴ−ＳＩＧＡ）に関しては、２つの４０ＭＨｚ周波数セグメントを用いた不連続送信のために、各周波数セグメントは、４０ＭＨｚ送信のための時間領域波形を利用しうる。２つの４０ＭＨｚ周波数セグメントを用いた不連続送信のために、各４０ＭＨｚ周波数セグメントは、４０ＭＨｚ  ８０２．１１ｎのためのＶＨＴ−ＳＴＦパターン（ＶＨＴ−５８，５８）を利用しうる。態様では、プリアンブルの超高スループット信号フィールド・タイプＢ（ＶＨＴ−ＳＩＧＢ）に関しては、４０＋４０ＭＨｚモードが、２１のＶＨＴ−ＳＩＧＢビットを有しうる。
【００５４】
図６からの送信機６００のバイナリ畳み込み符号（ＢＣＣ）インタリーバに関し、連続的な１６０ＭＨｚまたは不連続な８０＋８０ＭＨｚのＶＨＴ  ＰＰＤＵ送信の場合、あるいは、不連続な４０＋４０ＭＨｚのＶＨＴ  ＰＰＤＵ送信の場合、セグメント・パーサからのＮＣＢＰＳＳ／２個の出力ビットの各サブ・ブロックが、４０ＭＨｚ（４０＋４０ＭＨｚの場合）または８０ＭＨｚ（１６０または８０＋８０ＭＨｚの場合）のためにインタリーバによってインタリーブされうる。ここで、ＮＣＢＰＳＳは、空間ストリーム毎に符号化されたビットの数を表す。
【００５５】
パイロット・サブキャリアに関し、２つの４０ＭＨｚ周波数セグメントを用いた不連続送信のために、各周波数セグメントは、４０ＭＨｚ  ８０２．１１ｎ送信のために定義された４０ＭＨｚパイロット・トーン割当および値にしたがいうる。不連続な４０＋４０ＭＨｚ  非ＨＴ（ＨＴ：高スループット）重複に関し、各周波数セグメントにおけるデータ送信は、４０ＭＨｚ  ８０２．１１ｎ  非ＨＴ重複送信のために定義された通りでありうる。
【００５６】
（４０＋４０＋４０＋４０ＭＨｚモードのためのＰＨＹ仕様）  
図７は、本開示のある態様にしたがう４０＋４０＋４０＋４０ＭＨｚ送信モードのための送信機のブロック図７００の例を例示する。態様では、送信機７００のセグメント・パーサは、４つの４０ＭＨｚセグメントにわたって送信データを分割するように構成されうる。本開示ではセグメント・パーサに関するより多くの詳細が続く。送信機７００において４つのＲＦ処理チェーンが必要とされうることが注目されるべきである。
【００５７】
本開示の態様では、不連続な４０＋４０＋４０＋４０＋４０ＭＨｚ  ＶＨＴ  ＰＰＤＵ送信の場合、各４０ＭＨｚ周波数セグメントが、１２８のサブ・キャリアに分割されうる。各周波数セグメントでは、信号が、サブ・キャリア−５８乃至−２およびサブ・キャリア２乃至５８で送信されうる。
【００５８】
プリアンブルのＬ−ＳＴＦに関しては、４つの４０ＭＨｚ周波数セグメントを用いた不連続送信のために、各４０ＭＨｚ周波数セグメントは、８０２．１１ｎ  ４０ＭＨｚ  ＳＴＦに関して定義された、４０ＭＨｚのためのＬ−ＳＴＦパターン（Ｓ−５８，５８）を利用しうる。プリアンブルのＬ−ＬＴＦに関しては、４つの４０ＭＨｚ周波数セグメントを用いた不連続送信のために、各４０ＭＨｚ周波数セグメントは、８０２．１１ｎ  ４０ＭＨｚ  ＬＴＦに関して定義された、４０ＭＨｚのためのＬ−ＬＴＦパターン（Ｌ−５８，５８）を利用しうる。
【００５９】
プリアンブルのＶＨＴ−ＳＩＧＡフィールドに関しては、４つの４０ＭＨｚ周波数セグメントを用いた不連続送信のために、各周波数セグメントは、４０ＭＨｚ送信のための時間領域波形を利用しうる。４つの４０ＭＨｚ周波数セグメントを用いた不連続送信のために、各４０ＭＨｚ周波数セグメントは、４０ＭＨｚ  ８０２．１１ｎのためにＶＨＴ−ＳＴＦパターン（ＶＨＴ−５８，５８）を利用しうる。態様では、プリアンブルのＶＨＴ−ＳＩＧＢフィールドに関しては、４０＋４０＋４０＋４０ＭＨｚモードが、２１のＶＨＴ−ＳＩＧＢビットを有しうる。
【００６０】
態様では、図７からの送信機７００のストリーム・パーサに関し、１６０ＭＨｚ  ＭＣＳおよび４０＋４０＋４０＋４０ＭＨｚについて、各ＢＣＣエンコーダが、各ＯＦＤＭシンボルにおいてＳ個の符号化されたビットからなる整数ブロックを生成しないのであれば、このストリーム・パーサ方法は、ＮＥＳ個のエンコーダの各エンコーダにおいて、Ｓ個のビットの最後の整数ブロック（すなわち、ｆｌｏｏｒ（ＮＣＢＰＳ／ＮＥＳ／Ｓ）まで適用されうる。
【００６１】
態様では、送信機７００のＢＣＣインタリーバに関し、連続的な１６０ＭＨｚ  ＶＨＴ  ＰＰＤＵまたは不連続な８０＋８０ＭＨｚ  ＶＨＴ  ＰＰＤＵ、または不連続な４０＋４０＋４０＋４０ＭＨｚ  ＶＨＴ  ＰＰＤＵ送信の場合、セグメント・パーサからのＮＣＢＰＳＳ／４個の出力ビットの各サブ・ブロックが、４０ＭＨｚのためにインタリーバによってインタリーブされうる。
【００６２】
パイロット・サブキャリアに関し、４つの４０ＭＨｚ周波数セグメントを用いた不連続送信のために、各周波数セグメントは、４０ＭＨｚ  ８０２．１１ｎ  ４０送信のために定義された４０ＭＨｚパイロット・トーン割当および値にしたがいうる。不連続な４０＋４０ＭＨｚ  非ＨＴ（ＨＴ：高スループット）重複に関し、各周波数セグメントにおけるデータ送信は、４０ＭＨｚ  ８０２．１１ｎ  非ＨＴ重複送信のために定義された通りでありうる。
【００６３】
（セグメント・パーサ）  
４０＋４０ＭＨｚモードの場合、セグメント・パーサの動作は、不連続な８０ＭＨｚモードのセグメント・パーサの動作と同一でありうる。一方、４０＋４０＋４０＋４０ＭＨｚモードの場合、符号化されたビットが、４つのストリームのために設計されたセグメント・パーサを用いて４つのセグメントへ分解されうる。
【００６４】
４つの周波数セグメントのためのセグメント・パーサの動作を説明するために必要な表記：ＮＣＢＰＳＳは、空間ストリーム毎に符号化されたビットの数である。ＮＥＳは、エンコーダの数である（ＢＣＣベースの符号化の場合、６００Ｍｂ／ｓよりも大きなデータ・レートに対して、ＮＥＳは、１よりも大きく、低密度パリティ・チェック（ＬＤＰＣ）ベースの符号化の場合、ＮＥＳ＝１である）。ＮＢＰＳＣＳは、ストリーム毎のサブ・キャリア毎のビット数である。ｓ＝ｍａｘ（１，ＮＢＰＳＣＳ／２）である。
【００６５】
態様では、ＮＣＢＰＳＳビットの各ブロックは、以下のように、４つの４０ＭＨｚセグメントに関連付けられたＮＣＢＰＳＳ／４ビットの４つのサブ・ブロックに分割されうる。４ｓＮＥＳビットの各シーケンスは、ＮＣＢＰＳＳビットがすべて使い尽くされるか、または、余剰ビットの数が４ｓＮＥＳ未満になるまで、ラウンド・ロビン方式で各サブ・ブロックに割り当てられうる。余剰ビットのブロックが存在する場合、ｓ個のビットの各シーケンスは、すべてのビットが使い尽くされるまで、ラウンド・ロビン方式で、各サブ・ブロックに割り当てられうる。余剰ビット数は常に４ｓで割り切れる。
【００６６】
セグメント・パーサは、サブ・ブロックｌ（アルファベットのＬの小文字）のｋ番目のビットを以下のように定義しうる。  
【数１】
0005847922.tif 000002
【００６７】
ここで、  
【数２】
0005847922.tif 000003
【００６８】
は、ｚ以下の整数であり、ｚ  ｍｏｄ  ｔは、整数ｔによって整数ｚを除して得られる余りであり、ｘｍは、ＮＣＢＰＳＳ個のビットのブロックのうちのｍ番目のビットであり、ｍ＝０乃至ＮＣＢＰＳＳ−１であり、ｌ（アルファベットのＬの小文字）は、サブ・ブロック・インデクスであり、  
【数３】
0005847922.tif 000004
【００６９】
は、サブ・ブロックｌ（アルファベットのＬの小文字）のｋ番目のビットであり、ｓ＝ｍａｘ（１，ＮＣＢＰＳＣＳ／２）であり、ＮＥＳは、使用されたエンコーダの数である。
【００７０】
ＮＣＢＰＳＳが、４・ｓ・ＮＥＳによって割り切れない場合、このセグメント・パーサ方法は、セグメント・パーサ入力ビットのブロックに適用されうる。この時点では、各ストリーム・パーサ出力は、４・ｓ・Ｒ（Ｒ＜ＮＥＳ，整数）個の余剰ビットを有しうる。その後、余剰ビットは、ｓ個のビットからなるブロックに分割されうる。ここで、各ブロックは、ラウンド・ロビン方式で、異なるサブ・ブロック  
【数４】
0005847922.tif 000005
【００７１】
に割り当てられる。態様では、最初のｓ個のビットが、インデクスｌ（アルファベットのＬの小文字）＝０のサブ・ブロックに割り当てられうる。これは、すべてのビットが４つのサブ・ブロックに分配されるまで、Ｒ回反復されうる。
【００７２】
図８は、本開示のある態様にしたがって、データおよびデータ・セグメンテーションを符号化するために構成された送信デバイスにおいて（図６からの送信デバイス６００において、および／または、図７からの送信デバイス７００において）実行されうる動作８００の例を例示する。８０２では、符号化されたビットを取得するために、無線通信規格のＩＥＥＥ  ８０２．１１体系にしたがって、送信デバイスの１または複数のエンコーダによって（例えば、図６からの１または複数の順方向誤り訂正（ＦＥＣ）エンコーダ６０２によって、および／または、図７からの１または複数のＦＥＣエンコーダ７０２によって）データが符号化されうる。８０４では、符号化されたビットが、（例えば、図６からのストリーム・パーサ６０４によって、および／または、図７からのストリーム・パーサ７０４によって）複数の空間ストリームに関連付けられた複数のビットのパーティションへ分割されうる。８０６では、ビットのパーティションのおのおのが、（例えば、図６からのセグメント・パーサ６０６のうちの１つによって、および／または、図７からのセグメント・パーサ７０６のうちの１つによって）２つまたは４つの４０ＭＨｚセグメントにセグメント化されうる。８０８では、セグメント化された符号化されたビットが、（例えば、図６からのＲＦ送信回路６０８によって、および／または、図７からのＲＦ送信回路７０８によって）無線通信規格のＩＥＥＥ  ８０２．１１体系にしたがって、複数の波形を用いて、これらセグメントを介して送信されうる。
【００７３】
態様では、複数の波形が、８０２．１１ａｃベースの波形を備えうる。別の態様では、複数の波形が、８０２．１１ａｆ（ＴＶＷＳ）ベースの波形を備えうる。
【００７４】
態様では、セグメントのおのおのが、複数の波形のうちの４０ＭＨｚ  ８０２．１１ａｃ波形で伝送されうる。本開示の典型的な場合、データは、４０ＭＨｚセグメントのおのおのにおいて、１２８のうち１０８のサブ・キャリアにポピュレートされうる。
【００７５】
態様では、複数の空間ストリームのうちの空間ストリームに属するビットのパーティションを２つまたは４つのセグメントにセグメント化することは、空間ストリームのビットのおのおのを、ラウンド・ロビン方式で、セグメントのおのおのに割り当てることを備えうる。
【００７６】
態様では、送信デバイスのインタリーバは、複数のセグメントのうちのセグメントのビットを、複数の波形のうちの４０ＭＨｚ  ８０２．１１ａｃ波形の１０８のサブ・キャリアにインタリーブするように構成されうる。このインタリーバは、４０ＭＨｚ  ８０２．１１ａｃインタリーバを備え、１または複数のエンコーダが、１または複数のバイナリ畳み込み符号（ＢＣＣ）エンコーダを備えうる。態様では、送信デバイスは、４つの個別の処理チェーンを備えうる。これら処理チェーンのおのおのは、４０ＭＨｚセグメントのうちの１つに割り当てられ、これら処理チェーンのおのおのは、４０ＭＨｚ  ８０２．１１ａｃ送信に関連付けられた送信チェーンと同じでありうる。
【００７７】
図８Ａは、本開示のある態様にしたがって、送信装置において（例えば、図２からのアクセス・ポイント１１０において、図３からの無線デバイス３０２において、図６からの送信デバイス６００において、および／または、図７からの送信デバイス７００において）実行されうる動作８００Ａの例を例示する。８０２Ａでは、（例えば、ＴＸデータ・プロセッサ２１０、プロセッサ３０４、１または複数のＦＥＣエンコーダ６０２、および／または、１または複数のＦＥＣエンコーダ７０２のような）装置の１または複数のエンコーダが、符号化されたビットを取得するために、無線通信規格のＩＥＥＥ  ８０２．１１体系にしたがってデータを符号化するように構成されうる。８０４Ａでは、（例えば、ＴＸ空間プロセッサ２２０、プロセッサ３０４、ストリーム・パーサ６０４、および／または、ストリーム・パーサ７０４のような）装置の第１の回路（モジュール）が、符号化されたビットを、複数の空間ストリームに関連付けられた複数のビットのパーティションへ分割するように構成されうる。８０６Ａでは、（例えば、ＴＸ空間プロセッサ２２０、プロセッサ３０４、複数のセグメント・パーサ６０６のうちの何れか、および／または、複数のセグメント・パーサ７０６のうちの何れかのような）装置の第２の回路（モジュール）が、ビットのパーティションのおのおのを、２つまたは４つの４０ＭＨｚセグメントにセグメント化するように構成されうる。８０８Ａでは、（例えば、送信機２２２、送信機３１０、送信機６０８、および／または、送信機７０８のような）装置の送信機が、セグメント化された符号化されたビットを、無線通信規格のＩＥＥＥ  ８０２．１１体系にしたがって、複数の波形を用いて、これらセグメントを介して送信するように構成されうる。
【００７８】
本開示の態様では、（例えば、ＴＸ空間プロセッサ２２０、プロセッサ３０４、複数のセグメント・パーサ６０６のうちの何れか、および／または、複数のセグメント・パーサ７０６のうちの何れかのような）装置の第３の回路（モジュール）が、空間ストリームのビットのおのおのを、ラウンド・ロビン方式で、複数のセグメントのおのおのに割り当てるように構成されうる。さらに、（例えば、送信機ユニット２２２、送信機ユニット３１０、送信回路６０８、および／または、送信回路７０８のような）装置の第４の回路（モジュール）が、セグメント化された符号化されたビットに関連付けられた信号サンプルを送信する際に使用されるべき１または複数のインタ・フレーム・タイミング・パラメータを選択するように構成されうる。信号サンプルは、送信前にダウン・クロックされうる。
【００７９】
図９は、本開示のある態様にしたがって、送信デバイス６００および／または送信デバイス７００と通信する受信デバイスにおいて実行されうる動作９００の例を例示する。９０２では、受信デバイスが、インデクスされた複数の空間ストリームを備える波形を受信しうる。これらストリームのおのおのは、第１のサイズの２つまたは４つの個別のセグメントで伝送されうる。９０４では、受信デバイスが、無線通信規格のＩＥＥＥ  ２０１．１１体系にしたがって、第１のサイズの２つまたは４つの個別のセグメントのおのおのにおける複数の空間ストリームのおのおののビットを復号およびデインタリーブしうる。９０６では、受信デバイスが、第１のサイズの２つまたは４つの個別のセグメントにおける空間ストリーム・インデクスの成分ビットからの、インデクスされた複数の空間ストリームの同じ空間ストリーム・インデクスに対応するビットをマージしうる。その後、受信デバイスは、受信されたデータ・ビット・ストリームを取得するために、複数の空間ストリームのうちの個別の空間ストリームのビットをマージしうる。
【００８０】
態様では、復号およびデインタリーブは、無線通信規格のＩＥＥＥ  ８０２．１１体系の４０ＭＨｚ  ８０２．１１ａｃ仕様にしたがって動作しうる。本開示の１つの態様では、受信された波形は、８０２．１１ａｃベースの波形を備え、第１のサイズは、４０ＭＨｚ帯域幅を備えうる。別の態様では、受信された波形は、８０２．１１ａｆ（ＴＶＷＳ）ベースの波形を備え、第１のサイズは、５ＭＨｚ帯域幅、６ＭＨｚ帯域幅、７ＭＨｚ帯域幅、または８ＭＨｚ帯域幅を備えうる。
【００８１】
図９Ａは、本開示のある態様にしたがって、受信装置において（例えば、図２からのユーザ端末１２０のうちの何れかにおいて、および／または、図３からの無線デバイス３０２において）実行されうる動作９００Ａの例を例示する。９０２Ａでは、装置の受信機（例えば、受信機２５４および／または受信機３１２）は、インデクスされた複数の空間ストリームを備える波形を受信するように構成されうる。これらストリームのおのおのは、第１のサイズの２つまたは４つの個別のセグメントで伝送される。９０４Ａでは、（例えば、ＲＸデータ・プロセッサ２７０および／またはプロセッサ３０４のような）装置の第１の回路（モジュール）が、無線通信規格のＩＥＥＥ  ８０２．１１体系にしたがって、第１のサイズの２つまたは４つの個別のセグメントのおのおのにおける複数の空間ストリームのおのおののビットを復号およびデインタリーブするように構成されうる。９０６Ａでは、（例えば、ＲＸデータ・プロセッサ２７０および／またはプロセッサ３０４のような）装置の第２の回路（モジュール）が、第１のサイズの２つまたは４つの個別のセグメントにおける空間ストリーム・インデクスの成分ビットからの、インデクスされた複数の空間ストリームの同じ空間ストリーム・インデクスに対応するビットをマージするように構成されうる。
【００８２】
（テレビジョン・ホワイト・スペースへの適用）  
本開示の態様では、前述したように設計された４０＋４０ＭＨｚ送信モードは、ダウン・クロック係数８を用いた送信の前に、セグメント化された符号化されたビットに関連付けられた信号サンプルをダウン・クロックすることによって、ＩＥＥＥ  ８０２．１１ａｆ（テレビジョン・ホワイト・スペース）における２つの個別の５ＭＨｚキャリアでデータを伝送するために使用されうる。さらに、前述したように設計された４０＋４０＋４０＋４０ＭＨｚ送信モードは、ダウン・クロック係数８を用いて、セグメント化された符号化されたビットに関連付けられた信号サンプルをダウン・クロックすることによって、ＩＥＥＥ  ８０２．１１ａｆ（テレビジョン・ホワイト・スペース）において４つの個別の５ＭＨｚキャリアでデータを伝送するために使用されうる。さらに、２つまたは４つの個別の６ＭＨｚキャリアで、２つまたは４つの個別の７ＭＨｚキャリアで、あるいは、２つまたは４つの個別の８ＭＨｚキャリアでそれぞれデータ・サンプルを伝送するために、４０／６，４０／７，または５であるダウン・クロック係数が適用されうる。
【００８３】
本開示のある態様は、５ＭＨｚ動作、６ＭＨｚ動作、７ＭＨｚ動作、および８ＭＨｚ動作のために図１０において提供されたようなインタ・フレーム・スペースのタイミング・パラメータを用いて媒体アクセス制御（ＭＡＣ）レイヤをサポートする。
【００８４】
例えば、‘ａＣＣＡＴｉｍｅ’タイミング・パラメータ（ＣＣＡ：クリア・チャネル・アセスメント）は、１シンボル時間に対応し、‘ａＣＣＡＴｉｍｅ’（ＣＣＡ−Ｔｉｍｅ）の値は、３２マイクロ秒（６ＭＨｚ  ＴＶ  ＢＷ、５ＭＨｚベース帯域の場合）、２７マイクロ秒（６または７ＭＨｚ  ＴＶ  ＢＷ、６ＭＨｚベース帯域の場合）、２３マイクロ秒（７または８ＭＨｚ  ＴＶ  ＢＷ、７ＭＨｚベース帯域の場合）、または２０マイクロ秒（８ＭＨｚ  ＴＶ  ＢＷ、８ＭＨｚベース帯域の場合）でありうる。タイミング・パラメータ‘ａＲｘＴｘＴｕｒｎａｒｏｕｎｄＴｉｍｅ’は、送信機のラジオ周波数（ＲＦ）回路に基づきうる。‘ａＲｘＴｘＴｕｒｎａｒｏｕｎｄＴｉｍｅ’（ＲｘＴｘ−Ｔｕｒｎａｒｏｕｎｄ−Ｔｉｍｅ）の値は、図１０に与えられているように、５ＭＨｚ動作、６ＭＨｚ動作、７ＭＨｚ動作、および８ＭＨｚ動作について２マイクロ秒でありうる。タイミング・パラメータ‘ａＡｉｒＰｒｏｐａｇａｔｉｏｎＴｉｍｅ’は、ＲＦ伝搬時間に対応し、‘ａＡｉｒＰｒｏｐａｇａｔｉｏｎＴｉｍｅ（Ａｉｒ−Ｐｒｏｐａｇａｔｉｏｎ−Ｔｉｍｅ）’の値は、図１０に与えられているように、５ＭＨｚ動作、６ＭＨｚ動作、７ＭＨｚ動作、および８ＭＨｚ動作について１マイクロ秒でありうる。
【００８５】
さらに、タイミング・パラメータ‘ａＭＡＣＰｒｏｃｅｓｓｉｎｇＤｅｌａｙ’は、ＭＡＣ処理時間に対応し、‘ａＭＡＣＰｒｏｃｅｓｓｉｎｇＤｅｌａｙ’（ＭＡＣ−Ｐｒｏｃｅｓｓｉｎｇ−Ｄｅｌａｙ）の値は、図１０に与えられているように、５ＭＨｚ動作、６ＭＨｚ動作、７ＭＨｚ動作、および８ＭＨｚ動作について２マイクロ秒でありうる。タイミング・パラメータ‘ａＳｌｏｔＴｉｍｅ’は、図１０に与えられているように、‘ａＣＣＡＴｉｍｅ’、‘ａＲｘＴｘＴｕｒｎａｒｏｕｎｄＴｉｍｅ’、‘ａＡｉｒＰｒｏｐａｇａｔｉｏｎＴｉｍｅ’、および‘ａＭＡＣＰｒｏｃｅｓｓｉｎｇＤｅｌａｙ’に基づきうる。‘ａＳｌｏｔＴｉｍｅ’（Ｓｌｏｔ−Ｔｉｍｅ）の値は、３７マイクロ秒（６ＭＨｚ  ＴＶ  ＢＷ、５ＭＨｚベース帯域の場合）、３２マイクロ秒（６または７ＭＨｚ  ＴＶ  ＢＷ、６ＭＨｚベース帯域の場合）、２８マイクロ秒（７または８ＭＨｚ  ＴＶ  ＢＷ、７ＭＨｚベース帯域の場合）、または２５マイクロ秒（８ＭＨｚ  ＴＶ  ＢＷ、８ＭＨｚベース帯域の場合）でありうる。ＳＩＦＳ（ショート・インタ・フレーム・スペース）タイミング・パラメータは、１スロット時間に対応し、ＳＩＦＳの値は、３７マイクロ秒（６ＭＨｚ  ＴＶ  ＢＷ、５ＭＨｚベースの帯域の場合）、３２マイクロ秒（６または７ＭＨｚ  ＴＶ  ＢＷ、６ＭＨｚベース帯域の場合）、２８マイクロ秒（７または８ＭＨｚ  ＴＶ  ＢＷ、７ＭＨｚベース帯域の場合）、または２５マイクロ秒（８ＭＨｚ  ＴＶ  ＢＷ、８ＭＨｚベース帯域の場合）でありうる。ＤＩＦＳ（分散インタ・フレーム・スペース）タイミング・パラメータは、図１０に与えられるように、ＳＩＦＳ時間および‘ａＳｌｏｔＴｉｍｅ’に基づきうる。ある態様によれば、ＤＩＦＳ時間は、１１１マイクロ秒（６ＭＨｚ  ＴＶ  ＢＷ、５ＭＨｚベース帯域の場合）、９６マイクロ秒（６または７ＭＨｚ  ＴＶ  ＢＷ、６ＭＨｚベース帯域の場合）、８４マイクロ秒（７または８ＭＨｚ  ＴＶ  ＢＷ、７ＭＨｚベース帯域の場合）、７５マイクロ秒（８ＭＨｚ  ＴＶ  ＢＷ、８ＭＨｚベース帯域の場合）に等しくなりうる。
【００８６】
前述された方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。例えば、図８および９において例示された動作８００および９００は、図８Ａおよび９Ａにおいて例示された構成要素８００Ａおよび９００Ａに相当する。
【００８７】
本明細書で使用される場合、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を行うことを含みうる。
【００８８】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００８９】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能手段によって実行されうる。
【００９０】
例えば、データを符号化する手段は、例えば、図２からのＴＸデータ・プロセッサ２１０、図３からのプロセッサ３０４、図６からのＦＥＣエンコーダ６０２、または図７からのＦＥＣエンコーダ７０２のようなアプリケーション特有の集積回路を備えうる。分割する手段は、例えば、図２からのＴＸ空間プロセッサ２２０、プロセッサ３０４、図６からのストリーム・パーサ６０４、または図７からのストリーム・パーサ７０４のようなアプリケーション特有の集積回路を備えうる。セグメント化する手段は、例えば、ＴＸ空間プロセッサ２２０、プロセッサ３０４、図６からのセグメント・パーサ６０６のうちの何れか、または、図７からのセグメント・パーサ７０６のうちの何れかのようなアプリケーション特有の集積回路を備えうる。送信する手段は、例えば、図２からの送信機２２２、図３からの送信機３１０、図６からの送信機６０８、または、図７からの送信機７０８のような送信機を備えうる。割り当てる手段は、例えば、ＴＸデータ・プロセッサ２１０またはプロセッサ３０４のようなアプリケーション特有の集積回路を備えうる。インタリーブする手段は、例えば、ＴＸデータ・プロセッサ２１０またはプロセッサ３０４のようなアプリケーション特有の集積回路を備えうる。セグメント化された符号化されたビットに関連付けられた信号サンプルをダウン・クロックする手段は、例えば、ＴＸデータ・プロセッサ２１０またはプロセッサ３０４のようなアプリケーション特有の集積回路を備えうる。選択する手段は、例えば、ＴＸデータ・プロセッサ２１０またはプロセッサ３０４のようなアプリケーション特有の集積回路を備えうる。示す手段は、例えば、ＴＸデータ・プロセッサ２１０またはプロセッサ３０４のようなアプリケーション特有の集積回路を備えうる。受信する手段は、例えば、図２からの受信機２５４または図３からの受信機３１２のような受信機を備えうる。復号しデインタリーブする手段は、例えば、図２からのＲＸデータ・プロセッサ２７０またはプロセッサ３０４のようなアプリケーション特有の集積回路を備える。マージする手段は、例えば、ＲＸデータ・プロセッサ２７０またはプロセッサ３０４のようなアプリケーション特有の集積回路を備えうる。
【００９１】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサでありうるが、代替案では、プロセッサは、任意の市販のプロセッサ、コントローラ、マイクロコントローラ、またはステート・マシンでありうる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティング・デバイスの組み合わせとして実現されうる。
【００９２】
本開示に関連して記載された方法またはアルゴリズムのステップは、ハードウェアによって直接的に、プロセッサによって実行されるソフトウェア・モジュールによって、あるいは、これら２つの組み合わせによって具現化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００９３】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００９４】
本明細書に記載された機能は、ハードウェア、ソフトウェア、ファームウェア、またはこれらの任意の組み合わせで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００９５】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００９６】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００９７】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００９８】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００９９】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、出願当初の特許請求の範囲に記載された発明を付記する。
［Ｃ１］
無線通信のための装置であって、
無線通信規格のＩＥＥＥ  ８０２．１１体系にしたがってデータを符号化して、符号化されたビットを取得するように構成された１または複数のエンコーダと、
前記符号化されたビットを、複数の空間ストリームに関連付けられた複数のビットのパーティションに分割するように構成された第１の回路と、
前記複数のビットのパーティションのおのおのを、２つまたは４つの４０ＭＨｚセグメントにセグメント化するように構成された第２の回路と、
前記セグメント化された符号化されたビットを、無線通信規格のＩＥＥＥ  ８０２．１１体系にしたがって、複数の波形を用いて、これらセグメントを介して送信するように構成された送信機と、
を備える装置。
［Ｃ２］
前記複数の波形は、８０２．１１ａｃベースの波形を備え、
前記セグメントのおのおのは、前記複数の波形の４０ＭＨｚ  ８０２．１１ａｃ波形で伝送され、
前記データは、４０ＭＨｚセグメントのおのおのにおいて、１２８のうち１０８のサブ・キャリアにポピュレートされる、Ｃ１に記載の装置。
［Ｃ３］
前記複数の空間ストリームのうちの空間ストリームに属するビットのパーティションを、２つまたは４つのセグメントにセグメント化するように構成された第２の回路が、前記空間ストリームのビットのおのおのを、ラウンド・ロビン方式で、前記セグメントのおのおのに割り当てるように構成された第３の回路を備える、Ｃ１に記載の装置。
［Ｃ４］
前記ビットのパーティションをセグメント化するように構成された第２の回路は、パーティションのうちの第１のサイズのビットの各シーケンスを、そのパーティションにおけるすべてのビットが割り当てられるまで、または、割り当てられていない余剰ビットの数が、前記第１のサイズ未満になるまで、ラウンド・ロビン方式で、セグメントのおのおのに割り当てるように構成された第３の回路を備え、
前記第３の回路はさらに、前記割り当てられていない余剰ビットの数がゼロではない場合、前記割り当てられていない余剰ビットの第２のサイズのビットの各シーケンスを、パーティションにおけるすべてのビットが割り当てられるまで、ラウンド・ロビン方式で、セグメントのおのおのに割り当てるように構成される、Ｃ１に記載の装置。
［Ｃ５］
前記第１のサイズは、４０ＭＨｚのセグメントの数、エンコーダの数、前記複数の空間ストリームのうちの空間ストリーム毎のサブ・キャリア毎のビットの数のうちの少なくとも１つに基づき、
前記第２のサイズは、前記空間ストリーム毎のサブ・キャリア毎のビットの数に基づき、
前記第２のサイズは、前記第１のサイズよりも小さい、Ｃ４に記載の装置。
［Ｃ６］
前記２つまたは４つのセグメントのうちのセグメントのビットを、複数の波形のうちの４０ＭＨｚ  ８０２．１１ａｃ波形の１０８のサブ・キャリアにインタリーブするように構成されたインタリーバをさらに備え、
前記インタリーバは、４０ＭＨｚ  ８０２．１１ａｃインタリーバを備え、
前記１または複数のエンコーダは、１または複数のバイナリ畳み込み符号（ＢＣＣ）エンコーダを備える、Ｃ１に記載の装置。
［Ｃ７］
４つの個別の処理チェーンをさらに備え、
これら処理チェーンのおのおのは、４０ＭＨｚセグメントのうちの１つに割り当てられ、
これら処理チェーンのおのおのは、４０ＭＨｚ  ８０２．１１ａｃ送信に関連付けられた送信チェーンと同一である、Ｃ１に記載の装置。
［Ｃ８］
前記セグメント化された符号化されたビットに関連付けられた信号サンプルを、送信前に、係数でダウン・クロックするように構成された第３の回路、をさらに備えるＣ１に記載の装置。
［Ｃ９］
前記送信機はさらに、前記ダウン・クロックされた信号サンプルを、２つの個別の５ＭＨｚキャリアで、または、係数が８である場合、４つの個別の５ＭＨｚキャリアで、または、係数が４０／６である場合、２つまたは４つの個別の６ＭＨｚキャリアで、または、係数が４０／７である場合、２つまたは４つの個別の７ＭＨｚキャリアで、または、係数が５である場合、２つまたは４つの個別の８ＭＨｚキャリアで送信するように構成された、Ｃ８に記載の装置。
［Ｃ１０］
前記ダウン・クロックされた信号サンプルを送信する際に使用される１または複数のインタ・フレーム・タイミング・パラメータを選択するように構成された第４の回路、をさらに備えるＣ８に記載の装置。
［Ｃ１１］
前記１または複数のインタ・フレーム・タイミング・パラメータは、３２マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３７マイクロ秒に等しいＳｌｏｔ−Ｔｉｍｅ、３７マイクロ秒に等しいＳＩＦＳ時間、または１１１マイクロ秒に等しいＤＩＦＳ時間のうちの少なくとも１つを備え、
前記ダウン・クロックされた信号サンプルは、５ＭＨｚキャリアで送信される、Ｃ１０に記載の装置。
［Ｃ１２］
前記１または複数のインタ・フレーム・タイミング・パラメータは、２７マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３２マイクロ秒に等しいＳｌｏｔ−Ｔｉｍｅ、３２マイクロ秒に等しいＳＩＦＳ時間、または９６マイクロ秒に等しいＤＩＦＳ時間のうちの少なくとも１つを備え、
前記ダウン・クロックされた信号サンプルは、６ＭＨｚキャリアで送信される、Ｃ１０に記載の装置。
［Ｃ１３］
前記１または複数のインタ・フレーム・タイミング・パラメータは、２３マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２８マイクロ秒に等しいＳｌｏｔ−Ｔｉｍｅ、２８マイクロ秒に等しいＳＩＦＳ時間、または８４マイクロ秒に等しいＤＩＦＳ時間のうちの少なくとも１つを備え、
前記ダウン・クロックされた信号サンプルは、７ＭＨｚキャリアで送信される、Ｃ１０に記載の装置。
［Ｃ１４］
前記１または複数のインタ・フレーム・タイミング・パラメータは、２０マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２５マイクロ秒に等しいＳｌｏｔ−Ｔｉｍｅ、２５マイクロ秒に等しいＳＩＦＳ時間、または７５マイクロ秒に等しいＤＩＦＳ時間のうちの少なくとも１つを備え、
前記ダウン・クロックされた信号サンプルは、８ＭＨｚキャリアで送信される、Ｃ１０に記載の装置。
［Ｃ１５］
前記送信のプリアンブルの超高スループット信号フィールド・タイプＡ（ＶＨＴ−ＳＩＧＡフィールド）の１または複数のビットを用いることによって、２つまたは４つの４０ＭＨｚセグメントによる送信を示すように構成された第３の回路、をさらに備えるＣ１に記載の装置。
［Ｃ１６］
無線通信のための方法であって、
無線通信規格のＩＥＥＥ  ８０２．１１体系にしたがってデータを符号化して、符号化されたビットを取得することと、
前記符号化されたビットを、複数の空間ストリームに関連付けられた複数のビットのパーティションに分割することと、
前記複数のビットのパーティションのおのおのを、２つまたは４つの４０ＭＨｚセグメントにセグメント化することと、
前記セグメント化された符号化されたビットを、無線通信規格のＩＥＥＥ  ８０２．１１体系にしたがって、複数の波形を用いて、これらセグメントを介して送信することと、
を備える方法。
［Ｃ１７］
前記複数の波形は、８０２．１１ａｃベースの波形を備え、
前記セグメントのおのおのは、前記複数の波形の４０ＭＨｚ  ８０２．１１ａｃ波形で伝送され、
前記データは、４０ＭＨｚセグメントのおのおのにおいて、１２８のうち１０８のサブ・キャリアにポピュレートされる、Ｃ１６に記載の方法。
［Ｃ１８］
前記空間ストリームのビットのおのおのを、ラウンド・ロビン方式で、前記セグメントのおのおのに割り当てること、をさらに備えるＣ１６に記載の方法。
［Ｃ１９］
パーティションのうちの第１のサイズのビットの各シーケンスを、そのパーティションにおけるすべてのビットが割り当てられるまで、または、割り当てられていない余剰ビットの数が、前記第１のサイズ未満になるまで、ラウンド・ロビン方式で、セグメントのおのおのに割り当てることと、
前記割り当てられていない余剰ビットの数がゼロではない場合、前記割り当てられていない余剰ビットの第２のサイズのビットの各シーケンスを、パーティションにおけるすべてのビットが割り当てられるまで、ラウンド・ロビン方式で、セグメントのおのおのに割り当てることと、
をさらに備えるＣ１６に記載の方法。
［Ｃ２０］
前記第１のサイズは、前記４０ＭＨｚセグメントの数、データを符号化するエンコーダの数、または前記複数の空間ストリームのうちの空間ストリーム毎のサブ・キャリア毎のビットの数のうちの少なくとも１つに基づき、
前記第２のサイズは、空間ストリーム毎のサブ・キャリア毎のビットの数に基づき、
前記第２のサイズは、前記第１のサイズよりも小さい、
Ｃ１９に記載の方法。
［Ｃ２１］
前記２つまたは４つのセグメントのうちのセグメントのビットを、複数の波形のうちの４０ＭＨｚ  ８０２．１１ａｃ波形の１０８のサブ・キャリアにインタリーブすることをさらに備え、
前記符号化は、バイナリ畳み込み符号（ＢＣＣ）ベースの符号化を備える、Ｃ１６に記載の方法。
［Ｃ２２］
４つの個別の処理チェーンを用いてデータを処理することをさらに備え、
これら処理チェーンのおのおのは、４０ＭＨｚセグメントのうちの１つに割り当てられ、
これら処理チェーンのおのおのは、４０ＭＨｚ  ８０２．１１ａｃ送信に関連付けられた送信チェーンと同一である、Ｃ１６に記載の方法。
［Ｃ２３］
前記セグメント化された符号化されたビットに関連付けられた信号サンプルを、送信前に、係数でダウン・クロックすること、をさらに備えるＣ１６に記載の方法。
［Ｃ２４］
前記ダウン・クロックされた信号サンプルを、２つの個別の５ＭＨｚキャリアで、または、係数が８である場合、４つの個別の５ＭＨｚキャリアで、または、係数が４０／６である場合、２つまたは４つの個別の６ＭＨｚキャリアで、または、係数が４０／７である場合、２つまたは４つの個別の７ＭＨｚキャリアで、または、係数が５である場合、２つまたは４つの個別の８ＭＨｚキャリアで送信すること、をさらに備えるＣ２３に記載の方法。
［Ｃ２５］
前記ダウン・クロックされた信号サンプルを送信する際に使用される１または複数のインタ・フレーム・タイミング・パラメータを選択すること、をさらに備えるＣ２３に記載の方法。
［Ｃ２６］
前記１または複数のインタ・フレーム・タイミング・パラメータは、３２マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３７マイクロ秒に等しいＳｌｏｔ−Ｔｉｍｅ、３７マイクロ秒に等しいＳＩＦＳ時間、または１１１マイクロ秒に等しいＤＩＦＳ時間のうちの少なくとも１つを備え、
前記ダウン・クロックされた信号サンプルは、５ＭＨｚキャリアで送信される、Ｃ２５に記載の方法。
［Ｃ２７］
前記１または複数のインタ・フレーム・タイミング・パラメータは、２７マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３２マイクロ秒に等しいＳｌｏｔ−Ｔｉｍｅ、３２マイクロ秒に等しいＳＩＦＳ時間、または９６マイクロ秒に等しいＤＩＦＳ時間のうちの少なくとも１つを備え、
前記ダウン・クロックされた信号サンプルは、６ＭＨｚキャリアで送信される、Ｃ２５に記載の方法。
［Ｃ２８］
前記１または複数のインタ・フレーム・タイミング・パラメータは、２３マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２８マイクロ秒に等しいＳｌｏｔ−Ｔｉｍｅ、２８マイクロ秒に等しいＳＩＦＳ時間、または８４マイクロ秒に等しいＤＩＦＳ時間のうちの少なくとも１つを備え、
前記ダウン・クロックされた信号サンプルは、７ＭＨｚキャリアで送信される、Ｃ２５に記載の方法。
［Ｃ２９］
前記１または複数のインタ・フレーム・タイミング・パラメータは、２０マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２５マイクロ秒に等しいＳｌｏｔ−Ｔｉｍｅ、２５マイクロ秒に等しいＳＩＦＳ時間、または７５マイクロ秒に等しいＤＩＦＳ時間のうちの少なくとも１つを備え、
前記ダウン・クロックされた信号サンプルは、８ＭＨｚキャリアで送信される、Ｃ２５に記載の方法。
［Ｃ３０］
前記送信のプリアンブルの超高スループット信号フィールド・タイプＡ（ＶＨＴ−ＳＩＧＡフィールド）の１または複数のビットを用いることによって、２つまたは４つの４０ＭＨｚセグメントによる送信を示すこと、をさらに備えるＣ１６に記載の方法。
［Ｃ３１］
無線通信のための装置であって、
無線通信規格のＩＥＥＥ  ８０２．１１体系にしたがってデータを符号化して、符号化されたビットを取得する手段と、
前記符号化されたビットを、複数の空間ストリームに関連付けられた複数のビットのパーティションに分割する手段と、
前記複数のビットのパーティションのおのおのを、２つまたは４つの４０ＭＨｚセグメントにセグメント化する手段と、
前記セグメント化された符号化されたビットを、無線通信規格のＩＥＥＥ  ８０２．１１体系にしたがって、複数の波形を用いて、これらセグメントを介して送信する手段と、
を備える装置。
［Ｃ３２］
前記複数の波形は、８０２．１１ａｃベースの波形を備え、
前記セグメントのおのおのは、前記複数の波形の４０ＭＨｚ  ８０２．１１ａｃ波形で伝送され、
前記データは、４０ＭＨｚセグメントのおのおのにおいて、１２８のうち１０８のサブ・キャリアにポピュレートされる、Ｃ３１に記載の装置。
［Ｃ３３］
前記空間ストリームのビットのおのおのを、ラウンド・ロビン方式で、セグメントのおのおのに割り当てる手段、をさらに備えるＣ３１に記載の装置。
［Ｃ３４］
パーティションのうちの第１のサイズのビットの各シーケンスを、そのパーティションにおけるすべてのビットが割り当てられるまで、または、割り当てられていない余剰ビットの数が、前記第１のサイズ未満になるまで、ラウンド・ロビン方式で、セグメントのおのおのに割り当てる手段と、
前記割り当てられていない余剰ビットの数がゼロではない場合、前記割り当てられていない余剰ビットの第２のサイズのビットの各シーケンスを、パーティションにおけるすべてのビットが割り当てられるまで、ラウンド・ロビン方式で、セグメントのおのおのに割り当てる手段と、
をさらに備えるＣ３１に記載の装置。
［Ｃ３５］
前記第１のサイズは、前記４０ＭＨｚセグメントの数、データを符号化するエンコーダの数、または、前記複数の空間ストリームのうちの空間ストリーム毎のサブ・キャリア毎のビットの数のうちの少なくとも１つに基づき、
前記第２のサイズは、空間ストリーム毎のサブ・キャリア毎のビットの数に基づき、
前記第２のサイズは、前記第１のサイズよりも小さい、Ｃ３４に記載の装置。
［Ｃ３６］
前記２つまたは４つのセグメントのうちのセグメントのビットを、複数の波形のうちの４０ＭＨｚ  ８０２．１１ａｃ波形の１０８のサブ・キャリアにインタリーブする手段をさらに備え、
前記符号化は、バイナリ畳み込み符号（ＢＣＣ）ベースの符号化を備える、Ｃ３１に記載の装置。
［Ｃ３７］
４つの個別の処理チェーンをさらに備え、
これら処理チェーンのおのおのは、４０ＭＨｚセグメントのうちの１つに割り当てられ、
これら処理チェーンのおのおのは、４０ＭＨｚ  ８０２．１１ａｃ送信に関連付けられた送信チェーンと同一である、Ｃ３１に記載の装置。
［Ｃ３８］
前記セグメント化された符号化されたビットに関連付けられた信号サンプルを、送信前に、係数でダウン・クロックする手段、をさらに備えるＣ３１に記載の装置。
［Ｃ３９］
前記送信する手段はさらに、前記ダウン・クロックされた信号サンプルを、２つの個別の５ＭＨｚキャリアで、または、係数が８である場合、４つの個別の５ＭＨｚキャリアで、または、係数が４０／６である場合、２つまたは４つの個別の６ＭＨｚキャリアで、または、係数が４０／７である場合、２つまたは４つの個別の７ＭＨｚキャリアで、または、係数が５である場合、２つまたは４つの個別の８ＭＨｚキャリアで送信するように構成された、Ｃ３８に記載の装置。
［Ｃ４０］
前記ダウン・クロックされた信号サンプルを送信する際に使用される１または複数のインタ・フレーム・タイミング・パラメータを選択する手段、をさらに備えるＣ３８に記載の装置。
［Ｃ４１］
前記１または複数のインタ・フレーム・タイミング・パラメータは、３２マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３７マイクロ秒に等しいＳｌｏｔ−Ｔｉｍｅ、３７マイクロ秒に等しいＳＩＦＳ時間、または１１１マイクロ秒に等しいＤＩＦＳ時間のうちの少なくとも１つを備え、
前記ダウン・クロックされた信号サンプルは、５ＭＨｚキャリアで送信される、Ｃ４０に記載の装置。
［Ｃ４２］
前記１または複数のインタ・フレーム・タイミング・パラメータは、２７マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、３２マイクロ秒に等しいＳｌｏｔ−Ｔｉｍｅ、３２マイクロ秒に等しいＳＩＦＳ時間、または９６マイクロ秒に等しいＤＩＦＳ時間のうちの少なくとも１つを備え、
前記ダウン・クロックされた信号サンプルは、６ＭＨｚキャリアで送信される、Ｃ４０に記載の装置。
［Ｃ４３］
前記１または複数のインタ・フレーム・タイミング・パラメータは、２３マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２８マイクロ秒に等しいＳｌｏｔ−Ｔｉｍｅ、２８マイクロ秒に等しいＳＩＦＳ時間、または８４マイクロ秒に等しいＤＩＦＳ時間のうちの少なくとも１つを備え、
前記ダウン・クロックされた信号サンプルは、７ＭＨｚキャリアで送信される、Ｃ４０に記載の装置。
［Ｃ４４］
前記１または複数のインタ・フレーム・タイミング・パラメータは、２０マイクロ秒に等しいＣＣＡ−Ｔｉｍｅ、２マイクロ秒に等しいＲｘＴｘ−Ｔｕｒｎａｒｏｕｎｄ−Ｔｉｍｅ、１マイクロ秒に等しいＡｉｒ−Ｐｒｏｐａｇａｔｉｏｎ−Ｔｉｍｅ、２マイクロ秒に等しいＭＡＣ−Ｐｒｏｃｅｓｓｉｎｇ−Ｄｅｌａｙ、２５マイクロ秒に等しいＳｌｏｔ−Ｔｉｍｅ、２５マイクロ秒に等しいＳＩＦＳ時間、または７５マイクロ秒に等しいＤＩＦＳ時間のうちの少なくとも１つを備え、
前記ダウン・クロックされた信号サンプルは、８ＭＨｚキャリアで送信される、Ｃ４０に記載の装置。
［Ｃ４５］
前記送信のプリアンブルの超高スループット信号フィールド・タイプＡ（ＶＨＴ−ＳＩＧＡフィールド）の１または複数のビットを用いることによって、２つまたは４つの４０ＭＨｚセグメントによる送信を示す手段、をさらに備えるＣ３１に記載の装置。
［Ｃ４６］
無線通信のためのコンピュータ・プログラム製品であって、
無線通信規格のＩＥＥＥ  ８０２．１１体系にしたがってデータを符号化して、符号化されたビットを取得し、
前記符号化されたビットを、複数の空間ストリームに関連付けられた複数のビットのパーティションに分割し、
前記複数のビットのパーティションのおのおのを、２つまたは４つの４０ＭＨｚセグメントにセグメント化し、
前記セグメント化された符号化されたビットを、無線通信規格のＩＥＥＥ  ８０２．１１体系にしたがって、複数の波形を用いて、これらセグメントを介して送信する
ように実行可能な命令群を備えるコンピュータ読取可能な媒体を備える、コンピュータ・プログラム製品。
［Ｃ４７］
アクセス・ポイントであって、
少なくとも１つのアンテナと、
無線通信規格のＩＥＥＥ  ８０２．１１体系にしたがってデータを符号化して、符号化されたビットを取得するように構成された１または複数のエンコーダと、
前記符号化されたビットを、複数の空間ストリームに関連付けられた複数のビットのパーティションに分割するように構成された第１の回路と、
前記複数のビットのパーティションのおのおのを、２つまたは４つの４０ＭＨｚセグメントにセグメント化するように構成された第２の回路と、
前記セグメント化された符号化されたビットを、無線通信規格のＩＥＥＥ  ８０２．１１体系にしたがって、複数の波形を用いて、前記少なくとも１つのアンテナを経由して、これらセグメントを介して送信するように構成された送信機と、
を備えるアクセス・ポイント。
［Ｃ４８］
無線通信のための装置であって、
インデクスされた複数の空間ストリームを備える波形を受信するように構成された受信機と、ここで、前記空間ストリームのおのおのは、第１のサイズの２つまたは４つの個別のセグメントで伝送される、
無線通信規格のＩＥＥＥ  ２０１．１１体系にしたがって、前記第１のサイズの２つまたは４つの個別のセグメントのおのおのにおける複数の空間ストリームのおのおののビットを復号およびデインタリーブするように構成された第１の回路と、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージするように構成された第２の回路と、
を備える装置。
［Ｃ４９］
前記第１の回路は、無線通信規格のＩＥＥＥ  ８０２．１１体系の４０ＭＨｚ  ８０２．１１ａｃ仕様にしたがって動作するデコーダおよびデインタリーバを備える、Ｃ４８に記載の装置。
［Ｃ５０］
受信されたデータ・ビット・ストリームを取得するために、前記複数の空間ストリームのうちの個別の空間ストリームのビットをマージするように構成された第３の回路、をさらに備えるＣ４８に記載の装置。
［Ｃ５１］
前記受信された波形は、８０２．１１ａｃベースの波形を備え、
前記第１のサイズは、４０ＭＨｚ帯域幅を備える、Ｃ４８に記載の装置。
［Ｃ５２］
前記受信された波形は、８０２．１１ａｆベースの波形を備え、
前記第１のサイズは、５ＭＨｚ帯域幅、６ＭＨｚ帯域幅、７ＭＨｚ帯域幅、または８ＭＨｚ帯域幅を備える、Ｃ４８に記載の装置。
［Ｃ５３］
無線通信のための方法であって、
インデクスされた複数の空間ストリームを備える波形を受信することと、ここで、前記複数の空間ストリームのおのおのは、第１のサイズの２つまたは４つの個別のセグメントで伝送される、
前記第１のサイズの２つまたは４つの個別のセグメントのおのおのにおいて、前記複数の空間ストリームのおのおののビットを、無線通信規格のＩＥＥＥ  ８０２．１１体系にしたがって復号およびデインタリーブすることと、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージすることと、
を備える方法。
［Ｃ５４］
前記復号およびデインタリーブすることは、無線通信規格のＩＥＥＥ  ８０２．１１体系の４０ＭＨｚ  ８０２．１１ａｃ仕様にしたがって復号およびデインタリーブすることを備える、Ｃ５３に記載の方法。
［Ｃ５５］
受信されたデータ・ビット・ストリームを取得するために、前記複数の空間ストリームのうちの個別の空間ストリームのビットをマージすること、をさらに備えるＣ５３に記載の方法。
［Ｃ５６］
前記受信された波形は、８０２．１１ａｃベースの波形を備え、
前記第１のサイズは、４０ＭＨｚ帯域幅を備える、Ｃ５３に記載の方法。
［Ｃ５７］
前記受信された波形は、８０２．１１ａｆベースの波形を備え、
前記第１のサイズは、５ＭＨｚ帯域幅、６ＭＨｚ帯域幅、７ＭＨｚ帯域幅、または８ＭＨｚ帯域幅を備える、Ｃ５３に記載の方法。
［Ｃ５８］
無線通信のための装置であって、
インデクスされた複数の空間ストリームを備える波形を受信する手段と、ここで、前記複数の空間ストリームのおのおのは、第１のサイズの２つまたは４つの個別のセグメントで伝送される、
前記第１のサイズの２つまたは４つの個別のセグメントのおのおのにおいて、前記複数の空間ストリームのおのおののビットを、無線通信規格のＩＥＥＥ  ８０２．１１体系にしたがって復号およびデインタリーブする手段と、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージする手段と、
を備える装置。
［Ｃ５９］
無線通信規格のＩＥＥＥ  ８０２．１１体系の４０ＭＨｚ  ８０２．１１ａｃ仕様にしたがって復号およびデインタリーブする手段、をさらに備えるＣ５８に記載の装置。
［Ｃ６０］
受信されたデータ・ビット・ストリームを取得するために、前記複数の空間ストリームのうちの個別の空間ストリームのビットをマージする手段、をさらに備えるＣ５８に記載の装置。
［Ｃ６１］
前記受信された波形は、８０２．１１ａｃベースの波形を備え、
前記第１のサイズは、４０ＭＨｚ帯域幅を備える、Ｃ５８に記載の装置。
［Ｃ６２］
前記受信された波形は、８０２．１１ａｆベースの波形を備え、
前記第１のサイズは、５ＭＨｚ帯域幅、６ＭＨｚ帯域幅、７ＭＨｚ帯域幅、または８ＭＨｚ帯域幅を備える、Ｃ５８に記載の装置。
［Ｃ６３］
無線通信のためのコンピュータ・プログラム製品であって、
インデクスされた複数の空間ストリームを備える波形を受信し、ここで、前記複数の空間ストリームのおのおのは、第１のサイズの２つまたは４つの個別のセグメントで伝送される、
前記第１のサイズの２つまたは４つの個別のセグメントのおのおのにおいて、前記複数の空間ストリームのおのおののビットを、無線通信規格のＩＥＥＥ  ８０２．１１体系にしたがって復号およびデインタリーブし、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージする
ように実行可能な命令群を備えるコンピュータ読取可能な媒体を備える、コンピュータ・プログラム製品。
［Ｃ６４］
アクセス端末であって、
少なくとも１つのアンテナと、
インデクスされた複数の空間ストリームを備える波形を、前記少なくとも１つのアンテナを介して受信するように構成された受信機と、ここで、前記複数の空間ストリームのおのおのは、第１のサイズの２つまたは４つの個別のセグメントで伝送される、
前記第１のサイズの２つまたは４つの個別のセグメントのおのおのにおいて、前記複数の空間ストリームのおのおののビットを、無線通信規格のＩＥＥＥ  ８０２．１１体系にしたがって復号およびデインタリーブするように構成された第１の回路と、
前記第１のサイズの２つまたは４つの個別のセグメントにおける空間ストリーム・インデクスの成分ビットからの、インデクスされた複数の空間ストリームの同じ空間ストリーム・インデクスに対応するビットをマージするように構成された第２の回路と、
を備えるアクセス端末。
【図１】
0005847922.tif 000006
【図２】
0005847922.tif 000007
【図３】
0005847922.tif 000008
【図４】
0005847922.tif 000009
【図５】
0005847922.tif 000010
【図６】
0005847922.tif 000011
【図７】
0005847922.tif 000012
【図８】
0005847922.tif 000013
【図８Ａ】
0005847922.tif 000014
【図９】
0005847922.tif 000015
【図９Ａ】
0005847922.tif 000016
【図１０】
0005847922.tif 000017